(57)【要約】  多量の検索結果の絞り込み検索を行うために、文献情報中の文献用語、共起する文献用語、共起する文献用語の属する分類、共起する文献用語との相互情報量を示すスコアを情報として出力することを目的とする。文献検索部１１０は入力したクエリーで文献データベース２００にアクセスし文献情報を取得する。検索結果生成部１２０は、文献情報から文献用語を抽出し、抽出した文献用語と共起する文献用語と、抽出した文献用語と共起する文献用語との相互情報量のスコアと、共起する文献用語の分類とを取得する。そして、検索結果表示部１０５は取得した共起する文献用語とその分類及びスコアを表示する。
2007060727.tif 000002
【特許請求の範囲】
【請求項１】
シソーラスタームを含む文献情報の集合を記憶する文献データベースに接続し文献を検索する文献検索装置であり、  前記文献データベースの記憶する文献情報の集合において当該シソーラスタームが含まれる文献情報の数である当該シソーラスタームに対するターム毎文献数と文献データベースの記憶する文献情報の集合において異なる２つのシソーラスタームが含まれ共起する文献情報の数であるターム毎共起文献数とに基づく異なる２つのシソーラスタームの相互情報量のスコアを各シソーラスタームについて記憶機器に記憶する共起情報データベースと、  検索文を入力機器から入力する検索文入力部と、  前記検索文入力部の入力した検索文に対応する文献情報を前記文献データベースから取得する文献情報取得部と、  前記文献情報取得部の取得した取得文献情報に含まれるシソーラスタームを抽出するシソーラスターム抽出部と、  前記シソーラスターム抽出部の抽出したシソーラスタームそれぞれについて、共起するシソーラスタームと、共起するシソーラスタームとの相互情報量のスコアとを前記共起情報データベースから取得する共起情報取得部と、  前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを出力機器に出力する出力部とを備えたことを特徴とする文献検索装置。
【請求項２】
前記共起情報データベースは、  ターム毎文献数に対するターム毎共起文献数の割合を前記スコアとして記憶することを特徴とする請求項１記載の文献検索装置。
【請求項３】
前記共起情報データベースは、  以下の式で算出された値を前記スコアとして記憶することを特徴とする請求項１記載の文献検索装置。【数８】
2007060727.tif 000010
【請求項４】
前記共起情報取得部は、  前記シソーラスターム抽出部の抽出した当該シソーラスタームのターム毎文献数が所定の第１の閾値以上であるか、前記シソーラスターム抽出部の抽出した当該シソーラスタームと共起するシソーラスタームのターム毎文献数が所定の第２の閾値以上であるかの少なくともいずれかの場合、当該共起するシソーラスタームと、当該共起するシソーラスタームとの相互情報量のスコアとは取得しないことを特徴とする請求項１記載の文献検索装置。
【請求項５】
前記共起情報取得部は、  当該スコアが所定の第３の閾値以下である場合、当該共起するシソーラスタームと当該共起するシソーラスタームとの相互情報量のスコアとは取得しないことを特徴とする請求項１記載の文献検索装置。
【請求項６】
前記共起情報取得部は、  前記シソーラスターム抽出部の抽出した当該シソーラスタームとのターム毎共起文献数が所定の第４の閾値以下である場合、当該共起するシソーラスタームと当該共起するシソーラスタームとの相互情報量のスコアとは取得しないことを特徴とする請求項１記載の文献検索装置。
【請求項７】
前記文献検索装置は、さらに、  各シソーラスタームを遺伝子と疾患と化合物と組織との分類に対応付けて記憶機器に記憶する分類データベースと、  前記共起情報取得部の取得した共起するシソーラスタームそれぞれについて、各共起するシソーラスタームの分類を前記分類データベースから取得する分類取得部とを備え、  前記出力部は、  前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアと、前記分類取得部の取得した共起するシソーラスタームの分類とを出力機器に出力することを特徴とする請求項１記載の文献検索装置。
【請求項８】
前記分類データベースは、  遺伝子と疾患と化合物と組織との分類でありシソーラスタームの階層構造に基づく分類に対応付けて各シソーラスタームを記憶することを特徴とする請求項７記載の文献検索装置。
【請求項９】
前記文献検索装置は、さらに、  前記出力部の出力した共起するシソーラスタームから、検索語とするシソーラスタームを指定させる検索語指定部と、  前記検索語指定部により指定されたシソーラスタームを含む検索文を生成する検索文生成部とを備え、  前記検索文入力部は、  前記検索文生成部の生成した検索文を入力することを特徴とする請求項１記載の文献検索装置。
【請求項１０】
シソーラスタームを含む文献情報の集合を記憶する文献データベースに接続し文献を検索する文献検索装置の文献検索方法であり、  共起情報データベースは、前記文献データベースの記憶する文献情報の集合において当該シソーラスタームが含まれる文献情報の数である当該シソーラスタームに対するターム毎文献数と文献データベースの記憶する文献情報の集合において異なる２つのシソーラスタームが含まれ共起する文献情報の数であるターム毎共起文献数とに基づく異なる２つのシソーラスタームの相互情報量のスコアを各シソーラスタームについて記憶機器に記憶し、  検索文入力部は検索文を入力機器から入力する検索文入力処理を行い、  文献情報取得部は前記検索文入力部の入力した検索文に対応する文献情報を前記文献データベースから取得する文献情報取得処理を行い、  シソーラスターム抽出部は前記文献情報取得部の取得した取得文献情報に含まれるシソーラスタームを抽出するシソーラスターム抽出処理を行い、  共起情報取得部は前記シソーラスターム抽出部の抽出したシソーラスタームそれぞれについて、共起するシソーラスタームと、共起するシソーラスタームとの相互情報量のスコアとを前記共起情報データベースから取得する共起情報取得処理を行い、  出力部は前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを出力機器に出力する出力処理を行うことを特徴とする文献検索方法。
【請求項１１】
シソーラスタームを含む文献情報の集合を記憶する文献データベースに接続し文献を検索する文献検索装置の文献検索方法であり、  共起情報データベースは、前記文献データベースの記憶する文献情報の集合において当該シソーラスタームが含まれる文献情報の数である当該シソーラスタームに対するターム毎文献数に対する、文献データベースの記憶する文献情報の集合において異なる２つのシソーラスタームが含まれ共起する文献情報の数であるターム毎共起文献数の割合を、異なる２つのシソーラスタームの相互情報量のスコアとして各シソーラスタームについて記憶機器に記憶し、  検索文入力部は検索文を入力機器から入力する検索文入力処理を行い、  文献情報取得部は前記検索文入力部の入力した検索文に対応する文献情報を前記文献データベースから取得する文献情報取得処理を行い、  シソーラスターム抽出部は前記文献情報取得部の取得した取得文献情報に含まれるシソーラスタームを抽出するシソーラスターム抽出処理を行い、  共起情報取得部は前記シソーラスターム抽出部の抽出したシソーラスタームそれぞれについて、共起するシソーラスタームと、共起するシソーラスタームとの相互情報量のスコアとを前記共起情報データベースから取得する共起情報取得処理を行い、  出力部は前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを出力機器に出力する出力処理を行うことを特徴とする文献検索方法。
【請求項１２】
シソーラスタームを含む文献情報の集合を記憶する文献データベースに接続し文献を検索する文献検索装置の文献検索方法であり、  共起情報データベースは、前記文献データベースの記憶する文献情報の集合において当該シソーラスタームが含まれる文献情報の数である当該シソーラスタームに対するターム毎文献数と文献データベースの記憶する文献情報の集合において異なる２つのシソーラスタームが含まれ共起する文献情報の数であるターム毎共起文献数とに基づいて、以下の式で算出された値を、異なる２つのシソーラスタームの相互情報量のスコアとして各シソーラスタームについて記憶機器に記憶し、  検索文入力部は検索文を入力機器から入力する検索文入力処理を行い、  文献情報取得部は前記検索文入力部の入力した検索文に対応する文献情報を前記文献データベースから取得する文献情報取得処理を行い、  シソーラスターム抽出部は前記文献情報取得部の取得した取得文献情報に含まれるシソーラスタームを抽出するシソーラスターム抽出処理を行い、  共起情報取得部は前記シソーラスターム抽出部の抽出したシソーラスタームそれぞれについて、共起するシソーラスタームと、共起するシソーラスタームとの相互情報量のスコアとを前記共起情報データベースから取得する共起情報取得処理を行い、  出力部は前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを出力機器に出力する出力処理を行うことを特徴とする文献検索方法。【数９】
2007060727.tif 000011
【請求項１３】
前記共起情報取得部は、  前記シソーラスターム抽出部の抽出した当該シソーラスタームのターム毎文献数が所定の第１の閾値以上であるか、前記シソーラスターム抽出部の抽出した当該シソーラスタームと共起するシソーラスタームのターム毎文献数が所定の第２の閾値以上であるかの少なくともいずれかの場合、当該共起するシソーラスタームと、当該共起するシソーラスタームとの相互情報量のスコアとは取得しない前記共起情報取得処理を行うことを特徴とする請求項１０記載の文献検索方法。
【請求項１４】
前記共起情報取得部は、  当該スコアが所定の第３の閾値以下である場合、当該共起するシソーラスタームと当該共起するシソーラスタームとの相互情報量のスコアとは取得しない前記共起情報取得処理を行うことを特徴とする請求項１０記載の文献検索方法。
【請求項１５】
前記共起情報取得部は、  前記シソーラスターム抽出部の抽出した当該シソーラスタームとのターム毎共起文献数が所定の第４の閾値以下である場合、当該共起するシソーラスタームと当該共起するシソーラスタームとの相互情報量のスコアとは取得しない前記共起情報取得処理を行うことを特徴とする請求項１０記載の文献検索方法。
【請求項１６】
分類データベースは各シソーラスタームを遺伝子と疾患と化合物と組織との分類に対応付けて記憶機器に記憶し、  分類取得部は、前記共起情報取得部の取得した共起するシソーラスタームそれぞれについて、各共起するシソーラスタームの分類を前記分類データベースから取得する分類取得処理を行い、  前記出力部は、  前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアと、前記分類取得部の取得した共起するシソーラスタームの分類とを出力機器に出力する前記出力処理を行うことを特徴とする請求項１０記載の文献検索方法。
【請求項１７】
分類データベースは各シソーラスタームを、遺伝子と疾患と化合物と組織との分類でありシソーラスタームの階層構造に基づく分類に対応付けて記憶機器に記憶し、  分類取得部は、前記共起情報取得部の取得した共起するシソーラスタームそれぞれについて、各共起するシソーラスタームの分類を前記分類データベースから取得する分類取得処理を行い、  前記出力部は、  前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアと、前記分類取得部の取得した共起するシソーラスタームの分類とを出力機器に出力する前記出力処理を行うことを特徴とする請求項１０記載の文献検索方法。
【請求項１８】
検索語指定部は、前記出力部の出力した共起するシソーラスタームから、検索語とするシソーラスタームを指定させる検索語指定処理を行い、  検索文生成部は、前記検索語指定部により指定されたシソーラスタームを含む検索文を生成する検索文生成処理を行い、  前記検索文入力部は、  前記検索文生成部の生成した検索文を入力する前記検索文入力処理を行うことを特徴とする請求項１０記載の文献検索方法。
【請求項１９】
請求項１０〜請求項１８いずれかに記載の文献検索方法をコンピュータに実行させることを特徴とする文献検索プログラム。
【請求項２０】
文献用語を含む文献情報の集合を記憶する文献データベースに接続し文献を検索する文献検索装置であり、  前記文献データベースの記憶する文献情報の集合において当該文献用語が含まれる文献情報の数である当該文献用語に対するターム毎文献数と文献データベースの記憶する文献情報の集合において異なる２つの文献用語が含まれ共起する文献情報の数であるターム毎共起文献数とに基づく異なる２つの文献用語の相互情報量のスコアを各文献用語について記憶機器に記憶する共起情報データベースと、  検索文を入力機器から入力する検索文入力部と、  前記検索文入力部の入力した検索文に対応する文献情報を前記文献データベースから取得する文献情報取得部と、  前記文献情報取得部の取得した取得文献情報に含まれる文献用語を抽出する文献用語抽出部と、  前記文献用語抽出部の抽出した文献用語それぞれについて、共起する文献用語と、共起する文献用語との相互情報量のスコアとを前記共起情報データベースから取得する共起情報取得部と、  前記文献用語抽出部の抽出した文献用語それぞれに対応付けて、前記共起情報取得部の取得した共起する文献用語と、前記共起情報取得部の取得した共起する文献用語との相互情報量のスコアとを出力機器に出力する出力部とを備えたことを特徴とする文献検索装置。
【請求項２１】
前記共起情報データベースは、  ターム毎文献数に対するターム毎共起文献数の割合を前記スコアとして記憶することを特徴とする請求項２０記載の文献検索装置。
【請求項２２】
前記共起情報データベースは、  以下の式で算出された値を前記スコアとして記憶することを特徴とする請求項２０記載の文献検索装置。【数１０】
2007060727.tif 000012
【請求項２３】
前記共起情報取得部は、  前記文献用語抽出部の抽出した当該文献用語のターム毎文献数が所定の第１の閾値以上であるか、前記文献用語抽出部の抽出した当該文献用語と共起する文献用語のターム毎文献数が所定の第２の閾値以上であるかの少なくともいずれかの場合、当該共起する文献用語と、当該共起する文献用語との相互情報量のスコアとは取得しないことを特徴とする請求項２０記載の文献検索装置。
【請求項２４】
前記共起情報取得部は、  当該スコアが所定の第３の閾値以下である場合、当該共起する文献用語と当該共起する文献用語との相互情報量のスコアとは取得しないことを特徴とする請求項２０記載の文献検索装置。
【請求項２５】
前記共起情報取得部は、  前記文献用語抽出部の抽出した当該文献用語とのターム毎共起文献数が所定の第４の閾値以下である場合、当該共起する文献用語と当該共起する文献用語との相互情報量のスコアとは取得しないことを特徴とする請求項２０記載の文献検索装置。
【請求項２６】
前記文献検索装置は、さらに、  前記出力部の出力した共起する文献用語から、検索語とする文献用語を指定させる検索語指定部と、  前記検索語指定部により指定された文献用語を含む検索文を生成する検索文生成部とを備え、  前記検索文入力部は、  前記検索文生成部の生成した検索文を入力することを特徴とする請求項２０記載の文献検索装置。
【請求項２７】
文献用語を含む文献情報の集合を記憶する文献データベースに接続し文献を検索する文献検索装置の文献検索方法であり、  共起情報データベースは、前記文献データベースの記憶する文献情報の集合において当該文献用語が含まれる文献情報の数である当該文献用語に対するターム毎文献数と文献データベースの記憶する文献情報の集合において異なる２つの文献用語が含まれ共起する文献情報の数であるターム毎共起文献数とに基づく異なる２つの文献用語の相互情報量のスコアを各文献用語について記憶機器に記憶し、  検索文入力部は検索文を入力機器から入力する検索文入力処理を行い、  文献情報取得部は前記検索文入力部の入力した検索文に対応する文献情報を前記文献データベースから取得する文献情報取得処理を行い、  文献用語抽出部は前記文献情報取得部の取得した取得文献情報に含まれる文献用語を抽出する文献用語抽出処理を行い、  共起情報取得部は前記文献用語抽出部の抽出した文献用語それぞれについて、共起する文献用語と、共起する文献用語との相互情報量のスコアとを前記共起情報データベースから取得する共起情報取得処理を行い、  出力部は前記文献用語抽出部の抽出した文献用語それぞれに対応付けて、前記共起情報取得部の取得した共起する文献用語と、前記共起情報取得部の取得した共起する文献用語との相互情報量のスコアとを出力機器に出力する出力処理を行うことを特徴とする文献検索方法。
【請求項２８】
文献用語を含む文献情報の集合を記憶する文献データベースに接続し文献を検索する文献検索装置の文献検索方法であり、  共起情報データベースは、前記文献データベースの記憶する文献情報の集合において当該文献用語が含まれる文献情報の数である当該文献用語に対するターム毎文献数に対する、文献データベースの記憶する文献情報の集合において異なる２つの文献用語が含まれ共起する文献情報の数であるターム毎共起文献数の割合を、異なる２つの文献用語の相互情報量のスコアとして各文献用語について記憶機器に記憶し、  検索文入力部は検索文を入力機器から入力する検索文入力処理を行い、  文献情報取得部は前記検索文入力部の入力した検索文に対応する文献情報を前記文献データベースから取得する文献情報取得処理を行い、  文献用語抽出部は前記文献情報取得部の取得した取得文献情報に含まれる文献用語を抽出する文献用語抽出処理を行い、  共起情報取得部は前記文献用語抽出部の抽出した文献用語それぞれについて、共起する文献用語と、共起する文献用語との相互情報量のスコアとを前記共起情報データベースから取得する共起情報取得処理を行い、  出力部は前記文献用語抽出部の抽出した文献用語それぞれに対応付けて、前記共起情報取得部の取得した共起する文献用語と、前記共起情報取得部の取得した共起する文献用語との相互情報量のスコアとを出力機器に出力する出力処理を行うことを特徴とする文献検索方法。
【請求項２９】
文献用語を含む文献情報の集合を記憶する文献データベースに接続し文献を検索する文献検索装置の文献検索方法であり、  共起情報データベースは、前記文献データベースの記憶する文献情報の集合において当該文献用語が含まれる文献情報の数である当該文献用語に対するターム毎文献数と文献データベースの記憶する文献情報の集合において異なる２つの文献用語が含まれ共起する文献情報の数であるターム毎共起文献数とに基づいて、以下の式で算出された値を、異なる２つの文献用語の相互情報量のスコアとして各文献用語について記憶機器に記憶し、  検索文入力部は検索文を入力機器から入力する検索文入力処理を行い、  文献情報取得部は前記検索文入力部の入力した検索文に対応する文献情報を前記文献データベースから取得する文献情報取得処理を行い、  文献用語抽出部は前記文献情報取得部の取得した取得文献情報に含まれる文献用語を抽出する文献用語抽出処理を行い、  共起情報取得部は前記文献用語抽出部の抽出した文献用語それぞれについて、共起する文献用語と、共起する文献用語との相互情報量のスコアとを前記共起情報データベースから取得する共起情報取得処理を行い、  出力部は前記文献用語抽出部の抽出した文献用語それぞれに対応付けて、前記共起情報取得部の取得した共起する文献用語と、前記共起情報取得部の取得した共起する文献用語との相互情報量のスコアとを出力機器に出力する出力処理を行うことを特徴とする文献検索方法。【数１１】
2007060727.tif 000013
【請求項３０】
前記共起情報取得部は、  前記文献用語抽出部の抽出した当該文献用語のターム毎文献数が所定の第１の閾値以上であるか、前記文献用語抽出部の抽出した当該文献用語と共起する文献用語のターム毎文献数が所定の第２の閾値以上であるかの少なくともいずれかの場合、当該共起する文献用語と、当該共起する文献用語との相互情報量のスコアとは取得しない前記共起情報取得処理を行うことを特徴とする請求項２７記載の文献検索方法。
【請求項３１】
前記共起情報取得部は、  当該スコアが所定の第３の閾値以下である場合、当該共起する文献用語と当該共起する文献用語との相互情報量のスコアとは取得しない前記共起情報取得処理を行うことを特徴とする請求項２７記載の文献検索方法。
【請求項３２】
前記共起情報取得部は、  前記文献用語抽出部の抽出した当該文献用語とのターム毎共起文献数が所定の第４の閾値以下である場合、当該共起する文献用語と当該共起する文献用語との相互情報量のスコアとは取得しない前記共起情報取得処理を行うことを特徴とする請求項２７記載の文献検索方法。
【請求項３３】
検索語指定部は、前記出力部の出力した共起する文献用語から、検索語とする文献用語を指定させる検索語指定処理を行い、  検索文生成部は、前記検索語指定部により指定された文献用語を含む検索文を生成する検索文生成処理を行い、  前記検索文入力部は、  前記検索文生成部の生成した検索文を入力する前記検索文入力処理を行うことを特徴とする請求項２７記載の文献検索方法。
【請求項３４】
請求項２７〜請求項３３いずれかに記載の文献検索方法をコンピュータに実行させることを特徴とする文献検索プログラム。
【請求項３５】
シソーラスタームを含む文献情報の集合を記憶する文献データベースに接続し文献を検索する文献検索装置であり、  前記文献データベースの記憶する文献情報の集合において当該シソーラスタームが含まれる文献情報の数である当該シソーラスタームに対するターム毎文献数と文献データベースの記憶する文献情報の集合において異なる２つのシソーラスタームが含まれ共起する文献情報の数であるターム毎共起文献数とに基づく異なる２つのシソーラスタームの相互情報量のスコアを各シソーラスタームについて記憶機器に記憶する共起情報データベースと、  検索文を入力機器から入力する検索文入力部と、  前記検索文入力部の入力した検索文に対応する文献情報を前記文献データベースから取得する文献情報取得部と、  前記文献情報取得部の取得した取得文献情報に含まれるシソーラスタームを抽出するシソーラスターム抽出部と、  前記シソーラスターム抽出部の抽出したシソーラスタームそれぞれについて、共起するシソーラスタームと、共起するシソーラスタームとの相互情報量のスコアとを前記共起情報データベースから取得する共起情報取得部と、  前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを、分子、疾患などの関連に関わる情報として出力機器に出力する出力部とを備えたことを特徴とする文献検索装置。
【請求項３６】
シソーラスタームを含む文献情報の集合を記憶する文献データベースに接続し文献を検索する文献検索装置の文献検索方法であり、  共起情報データベースは、前記文献データベースの記憶する文献情報の集合において当該シソーラスタームが含まれる文献情報の数である当該シソーラスタームに対するターム毎文献数と文献データベースの記憶する文献情報の集合において異なる２つのシソーラスタームが含まれ共起する文献情報の数であるターム毎共起文献数とに基づく異なる２つのシソーラスタームの相互情報量のスコアを各シソーラスタームについて記憶機器に記憶し、  検索文入力部は検索文を入力機器から入力する検索文入力処理を行い、  文献情報取得部は前記検索文入力部の入力した検索文に対応する文献情報を前記文献データベースから取得する文献情報取得処理を行い、  シソーラスターム抽出部は前記文献情報取得部の取得した取得文献情報に含まれるシソーラスタームを抽出するシソーラスターム抽出処理を行い、  共起情報取得部は前記シソーラスターム抽出部の抽出したシソーラスタームそれぞれについて、共起するシソーラスタームと、共起するシソーラスタームとの相互情報量のスコアとを前記共起情報データベースから取得する共起情報取得処理を行い、  出力部は前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを、分子、疾患などの関連に関わる情報として出力機器に出力する出力処理を行うことを特徴とする文献検索方法。
【請求項３７】
請求項３６記載の文献検索方法をコンピュータに実行させることを特徴とする文献検索プログラム。
【発明の詳細な説明】
【技術分野】
【０００１】  本発明は、文献検索を支援する文献検索装置、文献検索方法および文献検索プログラムに関するものである。
【背景技術】
【０００２】  従来の文献検索システムでは、ヒットした文献を表示するにとどまるため、再検索に使用するキーワードはその都度ユーザが発案して追加していた。つまり、ヒットした文献を絞り込むために行う再検索時に、絞り込みに適したキーワードをユーザ自身が考え付かねばならなかった。このため、従来の文献検索システムでの絞り込み検索は非常に困難であった。また、簡単なキーワードを用いて再検索を行ってしまうと、膨大な数（例えば１万件以上）の文献がヒットしてしまい、その膨大な数の文献を示す検索結果から重要な文献を選択して文献中の知識を得るということは困難なことである。【０００３】  例えば、従来の医学文献検索システムは絞り込み検索が困難なシステムの一例であり、そのシステムは以下のようなものである。  医学文献データベースには、米国国立医学図書館（ＮＬＭ：Ｎａｔｉｏｎａｌ  Ｌｉｂｒａｒｙ  ｏｆ  Ｍｅｄｉｃｉｎｅ）の提供するＭＥＤＬＩＮＥ（ＭＥＤｌａｒｓ  ｏｎＬＩＮＥ）があり、医学関連の文献情報が１０００万件以上も収録されている。このＭＥＤＬＩＮＥにアクセスするためにＰｕｂＭｅｄという文献検索システムが提供され、ユーザはＰｕｂＭｅｄにアクセスするためのインタフェースを有するウェブページにアクセスしてＭＥＤＬＩＮＥに収録された医学文献情報の検索を行う。  ＭＥＤＬＩＮＥの収録する文献情報には、その文献に関連の深い医学用語（ＭｅＳＨターム：Ｍｅｄｉｃａｌ  Ｓｕｂｊｅｃｔ  Ｈｅａｄｉｎｇｓ）、タンパク質・化合物の名称または特性を表す用語（Ｓｕｂｓｔａｎｃｅ  Ｎａｍｅ）、ＲｅｇｉｓｔｒｙＮｕｍｂｅｒ等が含まれ、検索する際のキーとなる。また、ＭｅＳＨタームやＳｕｂｓｔａｎｃｅの情報は、ＭＥＤＬＩＮＥと同様にＰｕｂＭｅｄでアクセス可能なＭｅＳＨデータベースに収録され、ＭｅＳＨデータベースは、Ｄｅｓｃｒｉｐｔｏｒ、Ｑｕａｒｉｆｉｅｒ、ＳＣＲ（Ｓｕｐｐｌｅｍｅｎｔａｒｙ  Ｃｏｎｃｅｐｔ  Ｒｅｃｏｒｄｓ）という３つのデータベースを有する。  Ｄｅｓｃｒｉｐｔｏｒデータベースは、各ＭｅＳＨターム（Ｄｅｓｃｒｉｐｔｏｒターム）について、ＭｅＳＨタームを一意に識別する名称であるＨｅａｄｉｎｇ、Ｈｅａｄｉｎｇのシノニム、階層構造でＭｅＳＨタームを識別するＴｒｅｅＮｕｍｂｅｒ、ＭｅＳＨタームの説明などの情報を記憶し、ＳＣＲはＤｅｓｃｒｉｐｔｏｒデータベースに記憶されるＭｅＳＨタームと対応付けてＳｕｂｓｔａｎｃｅのターム（ＳＣＲターム）の情報を記憶する。  医学文献検索システムで利用されるものにはその他に、ユーザがウェブページから遺伝子と疾患に関する情報にアクセス可能なＯＭＩＭ（Ｏｎｌｉｎｅ  Ｍｅｎｄｅｌｉａｎ  Ｉｎｈｅｒｉｔａｎｃｅ  ｉｎ  Ｍａｎ）データベースや、化学物質を識別するＲｅｇｉｓｔｒｙＮｕｍｂｅｒ（ＣＡＳ登録番号）を含む化学に関する情報を記憶するＣＡＳ（Ｃｈｅｍｉｃａｌ  Ａｂｓｔｒａｃｔｓ  Ｓｅｒｖｉｃｅ）データベースなどがある。【特許文献１】特開２００３−０４４４８１号公報
【発明の開示】
【発明が解決しようとする課題】
【０００４】  本発明は、上記の課題をふまえ、例えば、多量な文献情報を対象とする文献検索において、多量にヒットする文献情報から絞り込み、有用な文献情報を取得するために文献検索を支援すると共に、分子、疾患などの関連に関する新たな医学・分子生物学的発見を促すことを目的とする。
【課題を解決するための手段】
【０００５】  本発明の文献検索装置は、シソーラスタームを含む文献情報の集合を記憶する文献データベースに接続し文献を検索する文献検索装置であり、前記文献データベースの記憶する文献情報の集合において当該シソーラスタームが含まれる文献情報の数である当該シソーラスタームに対するターム毎文献数と文献データベースの記憶する文献情報の集合において異なる２つのシソーラスタームが含まれ共起する文献情報の数であるターム毎共起文献数とに基づく異なる２つのシソーラスタームの相互情報量のスコアを各シソーラスタームについて記憶機器に記憶する共起情報データベースと、検索文を入力機器から入力する検索文入力部と、前記検索文入力部の入力した検索文に対応する文献情報を前記文献データベースから取得する文献情報取得部と、前記文献情報取得部の取得した取得文献情報に含まれるシソーラスタームを抽出するシソーラスターム抽出部と、前記シソーラスターム抽出部の抽出したシソーラスタームそれぞれについて、共起するシソーラスタームと、共起するシソーラスタームとの相互情報量のスコアとを前記共起情報データベースから取得する共起情報取得部と、前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを出力機器に出力する出力部とを備えたことを特徴とする。【０００６】  また、前記共起情報データベースは、ターム毎文献数に対するターム毎共起文献数の割合を前記スコアとして記憶することを特徴とする。【０００７】  また、前記共起情報データベースは、以下の式で算出された値を前記スコアとして記憶することを特徴とする。【数１】
2007060727.tif 000003
【０００８】  また、前記共起情報取得部は、前記シソーラスターム抽出部の抽出した当該シソーラスタームのターム毎文献数が所定の第１の閾値以上であるか、前記シソーラスターム抽出部の抽出した当該シソーラスタームと共起するシソーラスタームのターム毎文献数が所定の第２の閾値以上であるかの少なくともいずれかの場合、当該共起するシソーラスタームと、当該共起するシソーラスタームとの相互情報量のスコアとは取得しないことを特徴とする。【０００９】  また、前記共起情報取得部は、当該スコアが所定の第３の閾値以下である場合、当該共起するシソーラスタームと当該共起するシソーラスタームとの相互情報量のスコアとは取得しないことを特徴とする。【００１０】  また、前記共起情報取得部は、前記シソーラスターム抽出部の抽出した当該シソーラスタームとのターム毎共起文献数が所定の第４の閾値以下である場合、当該共起するシソーラスタームと当該共起するシソーラスタームとの相互情報量のスコアとは取得しないことを特徴とする。【００１１】  前記文献検索装置は、さらに、各シソーラスタームを遺伝子と疾患と化合物と組織との分類に対応付けて記憶機器に記憶する分類データベースと、前記共起情報取得部の取得した共起するシソーラスタームそれぞれについて、各共起するシソーラスタームの分類を前記分類データベースから取得する分類取得部とを備え、前記出力部は、前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアと、前記分類取得部の取得した共起するシソーラスタームの分類とを出力機器に出力することを特徴とする。【００１２】  また、前記分類データベースは、遺伝子と疾患と化合物と組織との分類でありシソーラスタームの階層構造に基づく分類に対応付けて各シソーラスタームを記憶することを特徴とする。【００１３】  前記文献検索装置は、さらに、前記出力部の出力した共起するシソーラスタームから、検索語とするシソーラスタームを指定させる検索語指定部と、前記検索語指定部により指定されたシソーラスタームを含む検索文を生成する検索文生成部とを備え、前記検索文入力部は、前記検索文生成部の生成した検索文を入力することを特徴とする。【００１４】  本発明の文献検索方法は、シソーラスタームを含む文献情報の集合を記憶する文献データベースに接続し文献を検索する文献検索装置の文献検索方法であり、共起情報データベースは、前記文献データベースの記憶する文献情報の集合において当該シソーラスタームが含まれる文献情報の数である当該シソーラスタームに対するターム毎文献数と文献データベースの記憶する文献情報の集合において異なる２つのシソーラスタームが含まれ共起する文献情報の数であるターム毎共起文献数とに基づく異なる２つのシソーラスタームの相互情報量のスコアを各シソーラスタームについて記憶機器に記憶し、検索文入力部は検索文を入力機器から入力する検索文入力処理を行い、文献情報取得部は前記検索文入力部の入力した検索文に対応する文献情報を前記文献データベースから取得する文献情報取得処理���行い、シソーラスターム抽出部は前記文献情報取得部の取得した取得文献情報に含まれるシソーラスタームを抽出するシソーラスターム抽出処理を行い、共起情報取得部は前記シソーラスターム抽出部の抽出したシソーラスタームそれぞれについて、共起するシソーラスタームと、共起するシソーラスタームとの相互情報量のスコアとを前記共起情報データベースから取得する共起情報取得処理を行い、出力部は前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを出力機器に出力する出力処理を行うことを特徴とする。【００１５】  本発明の文献検索方法は、シソーラスタームを含む文献情報の集合を記憶する文献データベースに接続し文献を検索する文献検索装置の文献検索方法であり、共起情報データベースは、前記文献データベースの記憶する文献情報の集合において当該シソーラスタームが含まれる文献情報の数である当該シソーラスタームに対するターム毎文献数に対する、文献データベースの記憶する文献情報の集合において異なる２つのシソーラスタームが含まれ共起する文献情報の数であるターム毎共起文献数の割合を、異なる２つのシソーラスタームの相互情報量のスコアとして各シソーラスタームについて記憶機器に記憶し、検索文入力部は検索文を入力機器から入力する検索文入力処理を行い、文献情報取得部は前記検索文入力部の入力した検索文に対応する文献情報を前記文献データベースから取得する文献情報取得処理を行い、シソーラスターム抽出部は前記文献情報取得部の取得した取得文献情報に含まれるシソーラスタームを抽出するシソーラスターム抽出処理を行い、共起情報取得部は前記シソーラスターム抽出部の抽出したシソーラスタームそれぞれについて、共起するシソーラスタームと、共起するシソーラスタームとの相互情報量のスコアとを前記共起情報データベースから取得する共起情報取得処理を行い、出力部は前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを出力機器に出力する出力処理を行うことを特徴とする。【００１６】  本発明の文献検索方法は、シソーラスタームを含む文献情報の集合を記憶する文献データベースに接続し文献を検索する文献検索装置の文献検索方法であり、共起情報データベースは、前記文献データベースの記憶する文献情報の集合において当該シソーラスタームが含まれる文献情報の数である当該シソーラスタームに対するターム毎文献数と文献データベースの記憶する文献情報の集合において異なる２つのシソーラスタームが含まれ共起する文献情報の数であるターム毎共起文献数とに基づいて、以下の式で算出された値を、異なる２つのシソーラスタームの相互情報量のスコアとして各シソーラスタームについて記憶機器に記憶し、検索文入力部は検索文を入力機器から入力する検索文入力処理を行い、文献情報取得部は前記検索文入力部の入力した検索文に対応する文献情報を前記文献データベースから取得する文献情報取得処理を行い、シソーラスターム抽出部は前記文献情報取得部の取得した取得文献情報に含まれるシソーラスタームを抽出するシソーラスターム抽出処理を行い、共起情報取得部は前記シソーラスターム抽出部の抽出したシソーラスタームそれぞれについて、共起するシソーラスタームと、共起するシソーラスタームとの相互情報量のスコアとを前記共起情報データベースから取得する共起情報取得処理を行い、出力部は前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを出力機器に出力する出力処理を行うことを特徴とする。【数２】
2007060727.tif 000004
【００１７】  また、前記共起情報取得部は、前記シソーラスターム抽出部の抽出した当該シソーラスタームのターム毎文献数が所定の第１の閾値以上であるか、前記シソーラスターム抽出部の抽出した当該シソーラスタームと共起するシソーラスタームのターム毎文献数が所定の第２の閾値以上であるかの少なくともいずれかの場合、当該共起するシソーラスタームと、当該共起するシソーラスタームとの相互情報量のスコアとは取得しない前記共起情報取得処理を行うことを特徴とする。【００１８】  また、前記共起情報取得部は、当該スコアが所定の第３の閾値以下である場合、当該共起するシソーラスタームと当該共起するシソーラスタームとの相互情報量のスコアとは取得しない前記共起情報取得処理を行うことを特徴とする。【００１９】  また、前記共起情報取得部は、前記シソーラスターム抽出部の抽出した当該シソーラスタームとのターム毎共起文献数が所定の第４の閾値以下である場合、当該共起するシソーラスタームと当該共起するシソーラスタームとの相互情報量のスコアとは取得しない前記共起情報取得処理を行うことを特徴とする。【００２０】  また、分類データベースは各シソーラスタームを遺伝子と疾患と化合物と組織との分類に対応付けて記憶機器に記憶し、分類取得部は、前記共起情報取得部の取得した共起するシソーラスタームそれぞれについて、各共起するシソーラスタームの分類を前記分類データベースから取得する分類取得処理を行い、前記出力部は、前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアと、前記分類取得部の取得した共起するシソーラスタームの分類とを出力機器に出力する前記出力処理を行うことを特徴とする。【００２１】  また、分類データベースは各シソーラスタームを、遺伝子と疾患と化合物と組織との分類でありシソーラスタームの階層構造に基づく分類に対応付けて記憶機器に記憶し、分類取得部は、前記共起情報取得部の取得した共起するシソーラスタームそれぞれについて、各共起するシソーラスタームの分類を前記分類データベースから取得する分類取得処理を行い、前記出力部は、前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアと、前記分類取得部の取得した共起するシソーラスタームの分類とを出力機器に出力する前記出力処理を行うことを特徴とする。【００２２】  また、検索語指定部は、前記出力部の出力した共起するシソーラスタームから、検索語とするシソーラスタームを指定させる検索語指定処理を行い、検索文生成部は、前記検索語指定部により指定されたシソーラスタームを含む検索文を生成する検索文生成処理を行い、前記検索文入力部は、前記検索文生成部の生成した検索文を入力する前記検索文入力処理を行うことを特徴とする。【００２３】  本発明の文献検索プログラムは、上記いずれかの文献検索方法をコンピュータに実行させることを特徴とする。【０���２４】  本発明の文献検索装置は、文献用語を含む文献情報の集合を記憶する文献データベースに接続し文献を検索する文献検索装置であり、前記文献データベースの記憶する文献情報の集合において当該文献用語が含まれる文献情報の数である当該文献用語に対するターム毎文献数と文献データベースの記憶する文献情報の集合において異なる２つの文献用語が含まれ共起する文献情報の数であるターム毎共起文献数とに基づく異なる２つの文献用語の相互情報量のスコアを各文献用語について記憶機器に記憶する共起情報データベースと、検索文を入力機器から入力する検索文入力部と、前記検索文入力部の入力した検索文に対応する文献情報を前記文献データベースから取得する文献情報取得部と、前記文献情報取得部の取得した取得文献情報に含まれる文献用語を抽出する文献用語抽出部と、前記文献用語抽出部の抽出した文献用語それぞれについて、共起する文献用語と、共起する文献用語との相互情報量のスコアとを前記共起情報データベースから取得する共起情報取得部と、前記文献用語抽出部の抽出した文献用語それぞれに対応付けて、前記共起情報取得部の取得した共起する文献用語と、前記共起情報取得部の取得した共起する文献用語との相互情報量のスコアとを出力機器に出力する出力部とを備えたことを特徴とする。【００２５】  また、前記共起情報データベースは、ターム毎文献数に対するターム毎共起文献数の割合を前記スコアとして記憶することを特徴とする。【００２６】  また、前記共起情報データベースは、以下の式で算出された値を前記スコアとして記憶することを特徴とする。【数３】
2007060727.tif 000005
【００２７】  また、前記共起情報取得部は、前記文献用語抽出部の抽出した当該文献用語のターム毎文献数が所定の第１の閾値以上であるか、前記文献用語抽出部の抽出した当該文献用語と共起する文献用語のターム毎文献数が所定の第２の閾値以上であるかの少なくともいずれかの場合、当該共起する文献用語と、当該共起する文献用語との相互情報量のスコアとは取得しないことを特徴とする。【００２８】  また、前記共起情報取得部は、当該スコアが所定の第３の閾値以下である場合、当該共起する文献用語と当該共起する文献用語との相互情報量のスコアとは取得しないことを特徴とする。【００２９】  また、前記共起情報取得部は、前記文献用語抽出部の抽出した当該文献用語とのターム毎共起文献数が所定の第４の閾値以下である場合、当該共起する文献用語と当該共起する文献用語との相互情報量のスコアとは取得しないことを特徴とする。【００３０】  前記文献検索装置は、さらに、前記出力部の出力した共起する文献用語から、検索語とする文献用語を指定させる検索語指定部と、前記検索語指定部により指定された文献用語を含む検索文を生成する検索文生成部とを備え、前記検索文入力部は、前記検索文生成部の生成した検索文を入力することを特徴とする。【００３１】  本発明の文献検索方法は、文献用語を含む文献情報の集合を記憶する文献データベースに接続し文献を検索する文献検索装置の文献検索方法であり、共起情報データベースは、前記文献データベースの記憶する文献情報の集合において当該文献用語が含まれる文献情報の数である当該文献用語に対するターム毎文献数と文献データベースの記憶する文献情報の集合において異なる２つの文献用語が含まれ共起する文献情報の数であるターム毎共起文献数とに基づく異なる２つの文献用語の相互情報量のスコアを各文献用語について記憶機器に記憶し、検索文入力部は検索文を入力機器から入力する検索文入力処理を行い、文献情報取得部は前記検索文入力部の入力した検索文に対応する文献情報を前記文献データベースから取得する文献情報取得処理を行い、文献用語抽出部は前記文献情報取得部の取得した取得文献情報に含まれる文献用語を抽出する文献用語抽出処理を行い、共起情報取得部は前記文献用語抽出部の抽出した文献用語それぞれについて、共起する文献用語と、共起する文献用語との相互情報量のスコアとを前記共起情報データベースから取得する共起情報取得処理を行い、出力部は前記文献用語抽出部の抽出した文献用語それぞれに対応付けて、前記共起情報取得部の取得した共起する文献用語と、前記共起情報取得部の取得した共起する文献用語との相互情報量のスコアとを出力機器に出力する出力処理を行うことを特徴とする。【００３２】  本発明の文献検索方法は、文献用語を含む文献情報の集合を記憶する文献データベースに接続し文献を検索する文献検索装置の文献検索方法であり、共起情報データベースは、前記文献データベースの記憶する文献情報の集合において当該文献用語が含まれる文献情報の数である当該文献用語に対するターム毎文献数に対する、文献データベースの記憶する文献情報の集合において異なる２つの文献用語が含まれ共起する文献情報の数であるターム毎共起文献数の割合を、異なる２つの文献用語の相互情報量のスコアとして各文献用語について記憶機器に記憶し、検索文入力部は検索文を入力機器から入力する検索文入力処理を行い、文献情報取得部は前記検索文入力部の入力した検索文に対応する文献情報を前記文献データベースから取得する文献情報取得処理を行い、文献用語抽出部は前記文献情報取得部の取得した取得文献情報に含まれる文献用語を抽出する文献用語抽出処理を行い、共起情報取得部は前記文献用語抽出部の抽出した文献用語それぞれについて、共起する文献用語と、共起する文献用語との相互情報量のスコアとを前記共起情報データベースから取得する共起情報取得処理を行い、出力部は前記文献用語抽出部の抽出した文献用語それぞれに対応付けて、前記共起情報取得部の取得した共起する文献用語と、前記共起情報取得部の取得した共起する文献用語との相互情報量のスコアとを出力機器に出力する出力処理を行うことを特徴とする。【００３３】  本発明の文献検索方法は、文献用語を含む文献情報の集合を記憶する文献データベースに接続し文献を検索する文献検索装置の文献検索方法であり、共起情報データベースは、前記文献データベースの記憶する文献情報の集合において当該文献用語が含まれる文献情報の数である当該文献用語に対するターム毎文献数と文献データベースの記憶する文献情報の集合において異なる２つの文献用語が含まれ共起する文献情報の数であるターム毎共起文献数とに基づいて、以下の式で算出された値を、異なる２つの文献用語の相互情報量のスコアとして各文献用語について記憶機器に記憶し、検索文入力部は検索文を入力機器から入力する検索文入力処理を行い、文献情報取得部は前記検索文入力部の入力した検索文に対応する文献情報を前記文献データベースから取得する文献情報取得処理を行い、文献用語抽出部は前記文献情報取得部の取得した取得文献情報に含まれる文献用語を抽出する文献用語抽出処理を行い、共起情報取得部は前記文献用語抽出部の抽出した文献用語それぞれについて、共起する文献用語と、共起する文献用語との相互情報量のスコアとを前記共起情報データベースから取得する共起情報取得処理を行い、出力部は前記文献用語抽出部の抽出した文献用語それぞれに対応付けて、前記共起情報取得部の取得した共起する文献用語と、前記共起情報取得部の取得した共起する文献用語との相互情報量のスコアとを出力機器に出力する出力処理を行うことを特徴とする。【数４】
2007060727.tif 000006
【００３４】  また、前記共起情報取得部は、前記文献用語抽出部の抽出した当該文献用語のターム毎文献数が所定の第１の閾値以上であるか、前記文献用語抽出部の抽出した当該文献用語と共起する文献用語のターム毎文献数が所定の第２の閾値以上であるかの少なくともいずれかの場合、当該共起する文献用語と、当該共起する文献用語との相互情報量のスコアとは取得しない前記共起情報取得処理を行うことを特徴とする。【００３５】  また、前記共起情報取得部は、当該スコアが所定の第３の閾値以下である場合、当該共起する文献用語と当該共起する文献用語との相互情報量のスコアとは取得しない前記共起情報取得処理を行うことを特徴とする。【００３６】  また、前記共起情報取得部は、前記文献用語抽出部の抽出した当該文献用語とのターム毎共起文献数が所定の第４の閾値以下である場合、当該共起する文献用語と当該共起する文献用語との相互情報量のスコアとは取得しない前記共起情報取得処理を行うことを特徴とする。【００３７】  また、検索語指定部は、前記出力部の出力した共起する文献用語から、検索語とする文献用語を指定させる検索語指定処理を行い、検索文生成部は、前記検索語指定部により指定された文献用語を含む検索文を生成する検索文生成処理を行い、前記検索文入力部は、  前記検索文生成部の生成した検索文を入力する前記検索文入力処理を行うことを特徴とする。【００３８】  本発明の文献検索プログラムは、上記いずれかの文献検索方法をコンピュータに実行させることを特徴とする。【００３９】  本発明の文献検索装置は、シソーラスタームを含む文献情報の集合を記憶する文献データベースに接続し、前記文献データベースの記憶する文献情報の集合において当該シソーラスタームが含まれる文献情報の数である当該シソーラスタームに対するターム毎文献数と文献データベースの記憶する文献情報の集合において異なる２つのシソーラスタームが含まれ共起する文献情報の数であるターム毎共起文献数とに基づく異なる２つのシソーラスタームの相互情報量のスコアを各シソーラスタームについて記憶機器に記憶する共起情報データベースと、検索文を入力機器から入力する検索文入力部と、前記検索文入力部の入力した検索文に対応する文献情報を前記文献データベースから取得する文献情報取得部と、前記文献情報取得部の取得した取得文献情報に含まれるシソーラスタームを抽出するシソーラスターム抽出部と、前記シソーラスターム抽出部の抽出したシソーラスタームそれぞれについて、共起するシソーラスタームと、共起するシソーラスタームとの相互情報量のスコアとを前記共起情報データベースから取得する共起情報取得部と、前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを、分子、疾患などの関連に関わる情報として出力機器に出力する出力部とを備えたことを特徴とする。【００４０】  本発明の文献検索方法は、シソーラスタームを含む文献情報の集合を記憶する文献データベースに接続し、共起情報データベースは、前記文献データベースの記憶する文献��報の集合において当該シソーラスタームが含まれる文献情報の数である当該シソーラスタームに対するターム毎文献数と文献データベースの記憶する文献情報の集合において異なる２つのシソーラスタームが含まれ共起する文献情報の数であるターム毎共起文献数とに基づく異なる２つのシソーラスタームの相互情報量のスコアを各シソーラスタームについて記憶機器に記憶し、検索文入力部は検索文を入力機器から入力する検索文入力処理を行い、文献情報取得部は前記検索文入力部の入力した検索文に対応する文献情報を前記文献データベースから取得する文献情報取得処理を行い、シソーラスターム抽出部は前記文献情報取得部の取得した取得文献情報に含まれるシソーラスタームを抽出するシソーラスターム抽出処理を行い、共起情報取得部は前記シソーラスターム抽出部の抽出したシソーラスタームそれぞれについて、共起するシソーラスタームと、共起するシソーラスタームとの相互情報量のスコアとを前記共起情報データベースから取得する共起情報取得処理を行い、出力部は前記シソーラスターム抽出部の抽出したシソーラスタームそれぞれに対応付けて、前記共起情報取得部の取得した共起するシソーラスタームと、前記共起情報取得部の取得した共起するシソーラスタームとの相互情報量のスコアとを、分子、疾患などの関連に関わる情報として出力機器に出力する出力処理を行うことを特徴とする。【００４１】  本発明の文献検索プログラムは、上記文献検索方法をコンピュータに実行させることを特徴とする。
【発明の効果】
【００４２】  本発明によれば、ヒットした文献情報に含まれるシソーラスターム（例えば、ＭｅＳＨターム）と共起するシソーラスタームと相互情報量のスコアを、医学文献情報を絞り込むための情報として出力できることにより、有用な文献情報を取得するための絞り込み文献検索を支援することができる。【００４３】  本発明によれば、ヒットした文献情報に含まれるシソーラスタームと共起するシソーラスタームと相互情報量のスコアを出力できることにより、分子、疾患などの関連に関する新たな医学・分子生物学的発見を促すことができる。【００４４】  また、所定の条件に当てはまり関連性の低い、共起するシソーラスタームと、共起するシソーラスタームとの相互情報量のスコアとを出力しないことにより、より関連性の高い共起するシソーラスタームとその共起するシソーラスタームとの相互情報量スコアとのみを出力できる。つまり、より有用な文献情報を取得するための絞り込み文献検索を支援することができる。【００４５】  また、共起するシソーラスタームを分類と共に出力できることにより、より有用な文献情報を取得するための絞り込み文献検索を支援することができる。【００４６】  また、本発明によれば、ヒットした文献情報に含まれる文献用語と共起する文献用語と相互情報量のスコアを、文献情報を絞り込むための情報として出力できることにより、医学関連文献に限らず有用な文献情報を取得するための絞り込み文献検索を支援することができる。【００４７】  また、本発明によれば、ヒットした文献情報に含まれる文献用語と共起する文献用語と相互情報量のスコアを出力できることにより、分子、疾患などの関連に関する新たな医学・分子生物学的発見を促すことができる。
【発明を実施するための最良の形態】
【００４８】  実施の形態１．  文献情報を絞り込むための情報として、ヒットした文献情報に含まれる文献用語と、ヒットした文献情報に含まれる文献用語に関連する文献用語と、ヒットした文献情報に含まれる文献用語と関連する文献用語との相互情報量のスコアを出力する形態について以下に説明する。また、以下の説明において、「文献情報」を「ＭＥＤＬＩＮＥに収録された医学文献情報」、「シソーラスターム」を「ＭｅＳＨターム」とする例について示す。【００４９】  図１は、実施の形態１における文献検索装置１００の構成図である。  実施の形態１における文献検索装置１００の構成について、図１に基づいて以下に説明する。【００５０】  文献検索装置１００は以下のものを備える。  ユーザ情報ＤＢ１９１は、文献検索装置１００を使用するユーザ毎に、文献検索装置１００へのログインＩＤ（識別子）、パスワードなど、文献検索装置１００を利用する際のユーザに関する情報（以下、ユーザ情報とする）を記憶機器に記憶し、ユーザ情報に対するアクセス管理をする。  ＭＥＤＬＩＮＥ更新情報取得部１０２は、ＮＬＭのＦＴＰ（Ｆｉｌｅ  Ｔｒａｎｓｆｅｒ  Ｐｒｏｔｏｃｏｌ）サイトに定期的にアクセスし、ＭＥＤＬＩＮＥデータベースサーバ２００（以下、ＭＥＤＬＩＮＥ２００とする）に新たに収録された（又は、収録される予定の）文献情報についての情報（以下、更新情報とする）を取得し、取得した更新情報に基づいて、以下で説明するタームＤＢ（データベース）１９２の更新を行う。  タームＤＢ１９２は、ＭｅＳＨタームについて、Ｈｅａｄｉｎｇ（以下、代表タームとする）、Ｈｅａｄｉｎｇのシノニム（以下、同義ターム［同義語］とする）、ＭｅＳＨのＴｒｅｅＮｕｍｂｅｒ（以下、ＭｅＳＨ番号とする）、当該ＭｅＳＨタームの説明、医学情報として属する分類（遺伝子、疾患、化合物、組織、その他）（以下、分類とする）、ＭＥＤＬＩＮＥに収録された全文献のうちで当該ＭｅＳＨタームが関連する文献の数（以下、全文献中ターム毎文献数とする）などのＭｅＳＨタームそれぞれに関する情報（以下、ＭｅＳＨターム情報とする）を記憶機器に記憶し、ＭｅＳＨターム情報に対するアクセス管理をする。また、タームＤＢ１９２は、全文献中ターム毎文献数に対するＭＥＤＬＩＮＥに収録された全文献のうちで異なる２つのＭｅＳＨタームが関連する文献の数（以下、全文献中ターム毎共起文献数とする）の割合に基づく異なる２つのＭｅＳＨタームの相互情報量のスコア（以下、ＭＩ（Ｍｕｔｕａｌ  Ｉｎｆｏｒｍａｔｉｏｎ）または共起スコアとする）を各ＭｅＳＨタームについて記憶機器に記憶しアクセス管理をする。  検索結果記憶部１９３は、ＭＥＤＬＩＮＥ２００の検索結果情報（以下、ＭＥＤＬＩＮＥ結果情報とする）である、クエリー（検索文）に対応する文献情報（以下、ヒット文献情報とする）、ＭＥＤＬＩＮＥ２００に収録された全文献数およびヒット文献数を記憶すると共に、文献検索装置１００の検索結果情報（以下、検索結果情報とする）である、ヒット文献情報から抽出したＭｅＳＨターム（ＳＣＲを含むものとし、以下、抽出タームとする）、および抽出タームについての代表ターム以外の情報（以下、付加情報とする）を記憶する記憶機器である。  表示変更部１０３は、検索結果の表示内容についての情報（以下、表示指定情報とする）を入力機器から入力し、表示指定情報に基づく表示情報（以下、表示変更情報とする）を出力して検索結果の表示を変更する。  ログイン部１０４は、ユーザの指定したログインＩＤとパスワードとを入力機器から入力し（以下、ユーザの指定したログインＩＤとパスワードとをログイン情報とする）、入力したログイン情報とユーザ情報ＤＢ１９１に記憶されたユーザ情報とに基づいて、ユーザの文献検索装置１００へのアクセスを制御する。【００５１】  文献検索部１１０は、ユーザの指定に基づいてクエリーを生成し、生成したクエリーでＭＥＤＬＩＮＥ２００にアクセスし、ＭＥＤＬＩＮＥ２００からＭＥＤＬＩＮＥ結果情報を取得する。【００５２】  検索結果生成部１２０は、ＭＥＤＬＩＮＥ結果情報に基づいて検索結果情報を生成し、生成した検索結果情報を検索結果記憶部１９３に記憶する。【００５３】  検索結果表示部１０５は、ＭＥＤＬＩＮＥ結果情報と検索結果情報に基づいて検索結果を表示装置に表示し、表示変更情報に基づいて検索結果の表示を変更する。【００５４】  また、文献検索装置１００はＭＥＤＬＩＮＥ２００、ＯＭＩＭデータベースサーバ２１０（以下、ＯＭＩＭ２１０とする）、ＭｅＳＨデータベースサーバ２２０（以下、ＭｅＳＨ２２０とする）を備えた装置であってもよい。【００５５】  図２は、実施の形態１における文献検索部１１０の構成図である。  実施の形態１における文献検索部１１０の構成について、図２に基づいて以下に説明する。【００５６】  文献検索部１１０は以下のものを備える。  クエリー生成部１１５は、ＭＥＤＬＩＮＥ２００にアクセスするクエリーに使用することをユーザに指定されたターム（以下、指定タームとする）に基づいてクエリーを生成する。  ＭＥＤＬＩＮＥアクセス部１１６は、クエリーを入力機器から入力し、入力したクエリーでＭＥＤＬＩＮＥ２００にアクセスし、ＭＥＤＬＩＮＥ２００からＭＥＤＬＩＮＥ結果情報を取得し、取得したＭＥＤＬＩＮＥ結果情報を検索結果記憶部１９３に記憶する。【００５７】  図３は、実施の形態１における検索結果生成部１２０の構成図である。  実施の形態１における検索結果生成部１２０の構成について、図３に基づいて以下に説明する。【００５８】  検索結果生成部１２０は以下のものを備える。  ＭｅＳＨターム抽出部１２１はヒット文献情報からＭｅＳＨタームを抽出する（ＭｅＳＨタームの抽出は、抽出したＭｅＳＨタームに対応する代表タームの取得も意味するものとする）。  付加情報生成部１２２はＭＥＤＬＩＮＥ結果情報に基づいて付加情報を生成する。  分類取得部１２３は抽出タームの分類をタームＤＢ１９２から取得する。  共起情報取得部１２７は共起タームと共起スコアとをタームＤＢ１９２から取得する。【００５９】  図４は、実施の形態１におけるタームＤＢ１９２の記憶管理するＭｅＳＨターム情報のテーブルを示す図である。  実施の形態１におけるタームＤＢ１９２の記憶管理するターム情報のテーブルについて、図４に基づいて以下に説明する。  タームＤＢ１９２は、「代表ターム（Ｈｅａｄｉｎｇ）」、「ＭｅＳＨ番号」、「タームの説明」、「分類」、「全文献中ターム毎文献数」および「同義ターム」をＭｅＳＨターム毎に有するテーブル（以下、ＭｅＳＨタームテーブルとする）をＭｅＳＨターム情報としてあらかじめ記憶し、ＭｅＳＨターム情報のアクセス管理をする。図４において、「エントリＩＤ」は、ＭｅＳＨターム毎にＭｅＳＨターム情報を識別する情報である。また、「分類」は、遺伝子（Ｇｅｎｅ）と疾患（Ｄｉｓｅａｓｅ）と化合物（Ｃｈｅｍｉｃａｌ）と組織（Ｔｉｓｓｕｅ）との医学情報の分類の内、「代表ターム（Ｈｅａｄｉｎｇ）」の示すＭｅＳＨタームの属する分類を示す。遺伝子は「Ｇ」、疾患は「Ｄ」、化合物は「Ｃ」、組織は「Ｔ」として示している。【００６０】  図４において、「Ｎｅｏｐｌａｓｍｓ」を代表タームとするＭｅＳＨタームは、ＭｅＳＨ番号「Ｃ０４」で識別され、「疾患（Ｄ）」に分類され、ＭＥＤＬＩＮＥに収録された全文献のうちで関連する文献の数（全文献中ターム毎文献数）が「１３５２８４」であり、「Ｃａｎｃｅｒｓ」や「Ｂｅｎｉｇｎ」などの同義タームを持つことを示している。また、「Ｎｅｏｐｌａｓｍｓ」を代表タームとするＭｅＳＨタームの情報はエントリＩＤ「９０２８」で識別されるエントリに設定されていることを示している。【００６１】  次に、タームＤＢ１９２のＭｅＳＨターム情報の設定方法について説明する。  「エントリＩＤ」には、記憶管理するＭｅＳＨターム情報のＭｅＳＨターム数分、ユニークなＩＤを用意して設定する。  「Ｈｅａｄｉｎｇ」、「ＭｅＳＨ番号」、「タームの説明」および「同義ターム」にはＭｅＳＨデータベースに記憶された情報を設定する。  「全文献中ターム毎文献数」には、ＭＥＤＬＩＮＥに収録された全文献のうちで、「Ｈｅａｄｉｎｇ」に設定されたＭｅＳＨタームまたは「同義ターム」に設定されたＭｅＳＨタームの少なくともいずれかを含む文献の数を設定する。【００６２】  次に、「分類」の設定方法について説明する。  図５、図６、図７、図８、図９は、ＭｅＳＨ  Ｄｅｓｃｒｉｔｏｒのツリー図である。  図５〜図９において、ＭｅＳＨ番号［Ｄ０５］、［Ｄ０６］、［Ｄ０８］〜［Ｄ１２］、［Ｄ１４．６００］、［Ｄ１７．３５０］、［Ｄ２４］および［Ｄ２７．５０５］とそれぞれの下位層のＤｅｓｃｒｉｐｔｏｒタームのうちで最下層のＤｅｓｃｒｉｐｔｏｒタームを、遺伝子に分類するＭｅＳＨターム（以下、遺伝子分類タームとする）としてタームＤＢ１９２に「Ｇ」を設定する。また、遺伝子に分類したＤｅｓｃｒｉｐｔｏｒタームにマップされているＳＣＲタームを遺伝子分類タームとしてタームＤＢ１９２に「Ｇ」を設定する。  また、ＭｅＳＨ番号［Ｃ０１］〜［Ｃ０４］および［Ｃ０５］〜［Ｃ２３］とそれぞれの下位層のＤｅｓｃｒｉｐｔｏｒタームを、疾患に分類するＭｅＳＨターム（以下、疾患分類タームとする）としてタームＤＢ１９２に「Ｄ」を設定する。  また、ＭｅＳＨ番号［Ｄ０１］〜［Ｄ０４］、［Ｄ０７］、［Ｄ１４．１００］、［Ｄ１５］、［Ｄ１６］、［Ｄ１７．０２５］、［Ｄ１７．０５０］、［Ｄ１８］、［Ｄ１９］、［Ｄ２６］、［Ｄ２７．７２０］および［Ｄ２７．８８８］とそれぞれの下位層のＤｅｓｃｒｉｐｔｏｒタームのうちでＲｅｇｉｓｔｒｙ��ｕｍｂｅｒが収録されているＤｅｓｃｒｉｐｔｏｒタームを、化合物に分類するＭｅＳＨターム（以下、化合物分類タームとする）としてタームＤＢ１９２に「Ｃ」を設定する。また、化合物に分類したＤｅｓｃｒｉｐｔｏｒタームにマップされていてＲｅｇｉｓｔｒｙＮｕｍｂｅｒが収録されているＳＣＲタームを化合物分類タームとしてタームＤＢ１９２に「Ｃ」を設定する。  また、ＭｅＳＨ番号［Ａ０１］〜［Ａ０８］、［Ａ１０］、［Ａ１１．０６３］〜［Ａ１１．２７０］、［Ａ１１．２８４．１４９］、［Ａ１１．２８４．１８０］、［Ａ１１．２８４．２９５］、［Ａ１１．２８４．４２０］、［Ａ１１．２８４．４３０．２１４］、［Ａ１１．２８４．４３０．４２９］、［Ａ１１．２９９］〜［Ａ１１．８６８］、［Ａ１２］〜［Ａ１４］、［Ｃ０４．１８２］、［Ｃ０４．５５７．４３５］〜［Ｃ０４．５５７．６６５］および［Ｃ０４．５８８］とそれぞれの下位層のＤｅｓｃｒｉｐｔｏｒタームを、組織に分類するＭｅＳＨターム（以下、組織分類タームとする）としてタームＤＢ１９２に「Ｔ」を設定する。【００６３】  以下、遺伝子分類タームにおけるＭｅＳＨ番号［Ｄ０５］、［Ｄ０６］、［Ｄ０８］〜［Ｄ１２］、［Ｄ１４．６００］、［Ｄ１７．３５０］、［Ｄ２４］および［Ｄ２７．５０５］、疾患分類タームにおけるＭｅＳＨ番号［Ｃ０１］〜［Ｃ０４］および［Ｃ０５］〜［Ｃ２３］、化合物分類タームにおけるＭｅＳＨ番号［Ｄ０１］〜［Ｄ０４］、［Ｄ０７］、［Ｄ１４．１００］、［Ｄ１５］、［Ｄ１６］、［Ｄ１７．０２５］、［Ｄ１７．０５０］、［Ｄ１８］、［Ｄ１９］、［Ｄ２６］、［Ｄ２７．７２０］および［Ｄ２７．８８８］、組織分類タームにおけるＭｅＳＨ番号［Ａ０１］〜［Ａ０８］、［Ａ１０］、［Ａ１１．０６３］〜［Ａ１１．２７０］、［Ａ１１．２８４．１４９］、［Ａ１１．２８４．１８０］、［Ａ１１．２８４．２９５］、［Ａ１１．２８４．４２０］、［Ａ１１．２８４．４３０．２１４］、［Ａ１１．２８４．４３０．４２９］、［Ａ１１．２９９］〜［Ａ１１．８６８］、［Ａ１２］〜［Ａ１４］、［Ｃ０４．１８２］、［Ｃ０４．５５７．４３５］〜［Ｃ０４．５５７．６６５］および［Ｃ０４．５８８］をそれぞれ、ＭｅＳＨタームを分類するための指標にする分類指標番号（特定のＭｅＳＨ番号）とする。【００６４】  図１０は、実施の形態１におけるタームＤＢ１９２の記憶管理する共起情報のテーブルを示す図である。  実施の形態１におけるタームＤＢ１９２の記憶管理する共起情報のテーブルについて、図１０に基づいて以下に説明する。  ここで、共起タームと共起スコアとを併せて共起情報とする。【００６５】  タームＤＢ１９２は、「第１の代表ターム（Ｈｅａｄｉｎｇ１）」、「第２の代表ターム（Ｈｅａｄｉｎｇ２）」、「全文献中ターム毎共起文献数」および「共起スコア（ＭＩ）」をＭｅＳＨターム毎に有するテーブル（以下、共起情報テーブルとする）を共起情報としてあらかじめ記憶し、共起情報のアクセス管理をする。また、「第２の代表ターム（Ｈｅａｄｉｎｇ２）」は「第１の代表ターム（Ｈｅａｄｉｎｇ１）」と共起する代表タームであり、「共起スコア（ＭＩ）」は「第１の代表ターム（Ｈ��ａｄｉｎｇ１）」と「第２の代表ターム（Ｈｅａｄｉｎｇ２）」との共起スコアである。また、「全文献中ターム毎共起文献数」は「第１の代表ターム（Ｈｅａｄｉｎｇ１）」と「第２の代表ターム（Ｈｅａｄｉｎｇ２）」との全文献中ターム毎共起文献数である。【００６６】  図１０において、「ｐｒｏｔｏ−ｏｎｃｏｇｅｎｅ  ｐｒｏｔｅｉｎ  ａｋｔ」を代表タームとするＭｅＳＨタームは、「Ｍｕｌｔｉｐｌｅ  Ｅｎｄｏｃｒｉｎｅ  Ｎｅｏｐｌａｓｉａ  Ｔｙｐｅ  ２ｂ」や「Ｖａｑｕｓ  Ｎｅｒｖｅ  Ｄｉｓｅａｓｅｓ」などと共起することを示している。また、「ｐｒｏｔｏ−ｏｎｃｏｇｅｎｅ  ｐｒｏｔｅｉｎ  ａｋｔ」の「Ｍｕｌｔｉｐｌｅ  Ｅｎｄｏｃｒｉｎｅ  Ｎｅｏｐｌａｓｉａ  Ｔｙｐｅ  ２ｂ」との共起スコアは「３．９Ｅ０」であり、「Ｖａｑｕｓ  Ｎｅｒｖｅ  Ｄｉｓｅａｓｅｓ」との共起スコアは「３．８５Ｅ０」であることを示している。【００６７】  次に、タームＤＢ１９２の共起情報の設定方法について説明する。    「Ｈｅａｄｉｎｇ２」には、ＭＥＤＬＩＮＥデータベースの収録する文献情報において「Ｈｅａｄｉｎｇ１」と共起するＭｅＳＨタームの代表タームを設定する。共起するＭｅＳＨタームに対応する代表タームはタームＤＢ１９２のＭｅＳＨタームテーブルやＭｅＳＨデータベース（ＭｅＳＨ２２０）から取得する。【００６８】  「全文献中ターム毎共起文献数」には、ＭＥＤＬＩＮＥに収録された全文献のうちで、「Ｈｅａｄｉｎｇ１」の示すＭｅＳＨタームと「Ｈｅａｄｉｎｇ２」の示すＭｅＳＨタームとが共に関連する（「Ｈｅａｄｉｎｇ１」の示すＭｅＳＨタームと「Ｈｅａｄｉｎｇ２」の示すＭｅＳＨタームとが共起する）文献の数を設定する。【００６９】  「ＭＩ」には以下の式で算出した、ＭｅＳＨタームｘとＭｅＳＨタームｙとの共起スコアＭＩ（ｘ，ｙ）を設定する。【００７０】
【数５】
2007060727.tif 000007
【００７１】  上記の式は以下の式においてＭＥＤＬＩＮＥ２００の全文献数Ｎ（Ｍ）をキャンセルした式である。【００７２】
【数６】
2007060727.tif 000008
【００７３】  共起スコアは、ＭＥＤＬＩＮＥ２００の全文献情報における当該２つのＭｅＳＨタームの出現頻度が低く、かつ当該２つのＭｅＳＨタームの共起頻度が高いほど、当該２つのＭｅＳＨタームの共起スコアは高くなる。つまり、共起スコアが高いほど当該２つのＭｅＳＨタームの関連性が高いことを示す。【００７４】  図１１は、実施の形態１における検索結果表示部１０５が検索結果を表示した画面（検索結果画面）を示す図である。  図１１において、（１）はメインメニュー、（２）はクエリー、（３）はサブメニュー、（４）は結果である。【００７５】  メインメニュー（１）は、メイン機能を切り替える為のボタンで、メイン機能として、文献検索機能（Ｓｅａｒｃｈ）、ヘルプ機能（Ｈｅｌｐ）、ログアウト機能（Ｌｏｇｏｕｔ）などを示している。  文献検索装置１００は、ユーザがマウス９０３（入力機器の一例）を使用してメインメニュー（１）のボタンを押下した際、押下されたボタンが文献検索機能であれば文献検索部１１０を実行して文献検索を行う。また、文献検索装置１００は、押下されたボタンがヘルプ機能であれば文献検索装置１００の説明情報をＣＲＴ表示装置９０１（表示装置の一例）に表示する。文献検索装置１００の説明情報は文献検索装置１００の備える記憶機器または文献検索装置１００とネットワーク接続されている記憶機器に記憶されているものとする。また、文献検索装置１００は、押下されたボタンがログアウト機能であれば以後の文献検索処理を実行しない。【００７６】  クエリー（２）は、ＭＥＤＬＩＮＥにアクセスし文献検索するための検索条件式（クエリー、検索タームまたは指定ターム）を入力するテキストボックスである。文献検索装置１００は、ユーザがキーボード９０２（入力機器の一例）からクエリー（２）に入力して指定した検索条件式を記憶機器に記憶する。【００７７】  サブメニュー（３）は、文献検索結果の表示方法を切り替える為のタブで、文献検索結果の表示方法として、抽出タームの分類表示（ＧＤＣＴ）、ヒット文献表示（Ａｒｔｉｃｌｅ）などを示している。  文献検索装置１００は、ユーザがマウス９０３（入力機器の一例）を使用してサブメニュー（３）のタブを押下した際に表示変更部１０３を実行して、押下されたタブの情報（表示指定情報）に応じた文献検索結果の表示変更を行う。【００７８】  結果（４）は、サブメニュー（３）で指定された表示方法による文献検索結果を示す表示領域である。【００７９】  ここで、文献検索装置１００は文献を検索する文献検索装置の一例である。  また、ＭＥＤＬＩＮＥ２００は文献情報の集合（例えば、ＭＥＤＬＩＮＥ２００に収録された全文献情報）を記憶する文献データベースの一例である。  また、タームＤＢ１９２は、共起スコアを各シソーラスタームについて記憶する共起情報データベースの一例である。さらに、タームＤＢ１９２は、各シソーラスタームを遺伝子と疾患と化合物と組織との分類と対応付けて記憶する分類データベース、シソーラスタームの階層情報（ＭｅＳＨ番号）を記憶する階層データベース及びシソーラスタームの同義語を記憶する同義語データベースの一例である。  また、ＭＥＤＬＩＮＥアクセス部１１６は、検索文を入力���器から入力する検索文入力部及び入力した検索文に対応する文献情報を文献データベースから取得する文献情報取得部の一例である。  また、ＭｅＳＨターム抽出部１２１は、取得文献情報（ヒット文献情報）に含まれる文献用語（例えば、ＭｅＳＨターム［抽出タームに対応する代表タームも含む］）を抽出するシソーラスターム抽出部および文献用語抽出部の一例である。  また、共起情報取得部１２７は、シソーラスタームの分類を分類データベース（タームＤＢ１９２）から取得する分類取得部の一例である。  また、検索結果表示部１０５は、抽出ターム（抽出タームに対応する代表タームおよびＭｅＳＨ番号も含む）、共起ターム、共起スコアおよび分類を出力機器に出力する出力部の一例である。さらに、検索結果表示部１０５は、出力した共起タームから、検索語とする共起タームをユーザに指定させる検索語指定部の一例である。  また、クエリー生成部１１５は、ユーザに指定されたシソーラスタームを含む検索文（ユーザに指定されたＭｅＳＨタームを条件とするクエリー）を生成する検索文生成部の一例である。【００８０】  図１２は、実施の形態１における文献検索装置１００の外観を示す図である。  図１２において、文献検索装置１００は、システムユニット９１０、ＣＲＴ（Ｃａｔｈｏｄｅ  Ｒａｙ  Ｔｕｂｅ）表示装置９０１、キーボード（Ｋ／Ｂ）９０２、マウス９０３、コンパクトディスク装置（ＣＤＤ）９０５、プリンタ装置９０６、スキャナ装置９０７を備え、これらはケーブルで接続されている。  さらに、文献検索装置１００は、ＦＡＸ機９３２、電話器９３１とケーブルで接続され、また、ローカルエリアネットワーク（ＬＡＮ）９４２、ウェブサーバ９４１を介してインターネット９４０に接続されている。そして、文献検索装置１００はＬＡＮ９４２やインターネット９４０を介してＭＥＤＬＩＮＥ２００、ＯＭＩＭ２１０やＭｅＳＨ２２０にアクセスする。【００８１】  図１３は、実施の形態１における文献検索装置１００のハードウェア構成図である。  図１３において、文献検索装置１００は、プログラムを実行するＣＰＵ（Ｃｅｎｔｒａｌ  Ｐｒｏｃｅｓｓｉｎｇ  Ｕｎｉｔ：中央処理装置又は単に処理装置）９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６、スキャナ装置９０７と接続されている。ＣＰＵ９１１は、以下に述べる「〜部」の動作を実行するものである。すなわち、ＣＰＵ９１１は、記憶、入出力、通信、表示等の動作を実行するものである。  ＲＡＭ９１４は、揮発性メモリの一例である。ＲＯＭ９１３、ＦＤＤ９０４、ＣＤＤ９０５、磁気ディスク装置９２０、光ディスク装置は、不揮発性メモリの一例である。これらは、記憶機器、記憶装置あるいは記憶部の一例である。ユーザ情報ＤＢ１９１、タームＤＢ１９２、検索結果記憶部１９３、ＭＥＤＬＩＮＥ２００、ＯＭＩＭ２１０、ＭｅＳＨ２２０は、それぞれ、ユーザ情報、ＭｅＳＨターム情報・共起情報、ＭＥＤＬＩＮＥ結果情報・検索結果情報、Ｍ��ＤＬＩＮＥ情報、ＯＭＩＭ情報・ＭｅＳＨ情報を記憶機器に記憶する。但し、ＭＥＤＬＩＮＥ２００、ＯＭＩＭ２１０、ＭｅＳＨ２２０の各データベースがインターネット９４０に接続された外部のデータベースであっても構わない。  通信ボード９１５は、ＦＡＸ機９３２、電話器９３１、ＬＡＮ９４２等に接続されている。  例えば、通信ボード９１５、Ｋ／Ｂ９０２、スキャナ装置９０７、ＦＤＤ９０４、記憶機器などは、入力機器、入力装置あるいは入力部の一例である。ＭＥＤＬＩＮＥ更新情報取得部１０２、表示変更部１０３、ログイン部１０４は、それぞれ、更新情報、表示指定情報、ログイン情報を入力機器から入力する。  また、例えば、通信ボード９１５、ＣＲＴ表示装置９０１、記憶機器などは、出力機器、出力装置あるいは出力部の一例である。検索結果表示部１０５は検索結果を出力機器に出力する。【００８２】  ここで、通信ボード９１５は、ＬＡＮ９４２に限らず、直接、インターネット９４０、或いはＩＳＤＮ等のＷＡＮ（ワイドエリアネットワーク）に接続されていても構わない。直接、インターネット９４０、或いはＩＳＤＮ等のＷＡＮに接続されている場合、文献検索装置１００は、インターネット９４０、或いはＩＳＤＮ等のＷＡＮに接続され、ウェブサーバ９４１は不用となる。  磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。【００８３】  上記プログラム群９２３には、以下に述べる実施の形態の説明において「〜部」、「〜ＤＢ」、「〜記憶部」として説明する機能を実行するプログラムが記憶されている。プログラムは、ＣＰＵ９１１により読み出され実行される。  ファイル群９２４には、以下に述べる実施の形態の説明において、「〜を判定し」、「〜を判定した結果」、「〜を計算し」、「〜を計算した結果」、「〜を処理し」、「〜を処理した結果」のような表現で説明する結果のデータや「〜情報」のような表現で説明するデータが、「〜ファイル」として記憶されている。また、画面上でユーザに指定されたボタン、タブ、リストボックス、テキストボックスなどの情報が「〜ファイル」として記憶されている。  また、以下に述べる実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ  ｃａｒｔｒｉｄｇｅ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）、その他の記録媒体に記録される。あるいは、信号線やその他の伝送媒体により伝送される。【００８４】  また、以下に述べる実施の形態の説明において「〜部」、「〜ＤＢ」、「〜記憶部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。【００８５】  また、以下に述べる実施の形態を実施するプログラムは、磁気ディスク装置９２０、ＦＤ、光ディスク、ＣＤ、ＭＤ、ＤＶＤ、その他の記録媒体による記録装置を用いて記憶されても構わない。【００８６】  図１４は、実施の形態１における文献検索装置１００の文献検索処理の流れを示すフローチャートである。  実施の形態１における文献検索装置１００の文献検索処理の概要について、図１４に基づいて以下に説明する。【００８７】  まず、ログイン部１０４が、ユーザの文献検索装置１００へのログイン処理を行う（Ｓ１０１）。  次に、文献検索部１１０が、ユーザの指示に応じて、ＭＥＤＬＩＮＥ２００にアクセスしＭＥＤＬＩＮＥ検索情報を取得する文献検索処理を行う（Ｓ１０２）。  次に、検索結果生成部１２０が、文献検索部１１０の取得したＭＥＤＬＩＮＥ検索情報に基づいて検索結果を生成する検索結果生成処理を行う（Ｓ１０３）。  そして、検索結果表示部１０５が、検索結果生成部１２０の生成した検索結果情報に基づいて検索結果をＣＲＴ表示装置９０１（表示装置の一例）に表示する検索結果表示処理を行う（Ｓ１０４）。  以後、文献検索部１１０は、共起タームをクエリーの条件として新たに加える等のユーザの指示に応じてＳ１０２〜Ｓ１０４を繰り返し、絞り込み検索の支援を行う。  絞り込み検索の終了後、ユーザは検索結果画面のサブメニュー（３）のヒット文献表示（Ａｒｔｉｃｌｅ）を指定することで、絞り込まれた有用な文献情報を取得することができる。このとき、表示変更部１０３が、検索結果記憶部１９３からＭＥＤＬＩＮＥ結果情報を取得し、検索結果表示部１０５がＭＥＤＬＩＮＥ結果情報の示すヒット文献情報を、絞り込まれた有用な文献情報として、表示装置に表示する。【００８８】  次に、文献検索装置１００の文献検索処理（Ｓ１０１〜Ｓ１０４）の詳細について以下に説明する。【００８９】  まず、ログイン部１０４のログイン処理（Ｓ１０１）について説明する。  ログイン処理（Ｓ１０１）において、ログイン部１０４は、ＣＲＴ表示装置９０１（表示装置の一例）にログインＩＤとパスワードとを入力するテキストボックスを表示し、ユーザにログインＩＤとパスワードとの入力を促す。そして、ログイン部１０４は、ユーザがキーボード９０２（入力機器の一例）から入力して指定したログインＩＤとパスワードとを入力する。ログイン部１０４は入力したログインＩＤを出力してユーザ情報ＤＢ１９１にアクセスし、ユーザ情報ＤＢ１９１はログイン部１０４の出力したログインＩＤを検索キーにしてユーザ情報の検索結果を出力する。ユーザ情報ＤＢ１９１は、ユーザ情報として、登録ユーザの登録ログインＩＤを記憶すると共に、登録パスワード、当該ユーザの環境設定情報などをログインＩＤに対応付けて記憶機器に記憶しておく。そして、ユーザ情報ＤＢ１９１は、登録ログインＩＤが検索キーと一致するユーザ情報を検索し、登録ログインＩＤが検索キーと一致するユーザ情報の有無と登録ログインＩＤが検索キーと一致するユーザ情報とを検索結果として出力する。ログイン部１０４は、ユーザ情報ＤＢ１９１の出力した検索結果が「当該ユーザ情報有り」を示す場合、入力したユーザ指定のパスワードと検索結果に含まれるユーザ情報内のパスワードとを比較する。そして、入力したユーザ指定のパスワードと検索結果に含まれるユーザ情報内のパスワードとが一致する場合に当該ユーザの文献検索装置１００へのアクセスを許可し、以後のユーザの指定に基づく文献検索処理を実行する。また、ログイン部１０４は、ユーザ情報ＤＢ１９１の出力した検索結果が「当該ユーザ情報無し」を示す場合または入力したユーザ指定のパスワードと検索結果に含まれるユーザ情報内のパスワードとが一致しない場合に当該ユーザの文献検索装置１００へのアクセスを不許可とし以後の文献検索処理を実行しない。【００９０】  次に、文献検索部１１０の文献検索処理（Ｓ１０２）について説明する。  文献検索処理（Ｓ１０２）において、ログイン部１０４が当該ユーザの文献検索装置１００へのアクセスを許可し、アクセスを許可されたユーザが検索結果画面のメインメニュー（１）の文献検索機能（Ｓｅａｒｃｈ）を指定した場合に、文献検索部１１０のＭＥＤＬＩＮＥアクセス部１１６は、ユーザが指定したクエリーを入力機器から入力する。例えば、ユーザがキーボード９０２（入力機器の一例）から検索結果画面のクエリー（２）に入力したクエリーを入力し、また例えば、ユーザの指定したクエリーが設定されたファイルを記憶機器（入力機器の一例）から取得しファイルからクエリーを入力する。そして、ＭＥＤＬＩＮＥアクセス部１１６は、入力したクエリーでＭＥＤＬＩＮＥ２００にアクセスし、ＭＥＤＬＩＮＥ２００からＭＥＤＬＩＮＥ結果情報を取得し、取得したＭＥＤＬＩＮＥ結果情報を検索結果記憶部１９３に記憶する。【００９１】  次に、検索結果生成部１２０の検索結果生成処理（Ｓ１０３）について説明する。  まず、検索結果生成部１２０のＭｅＳＨターム抽出部１２１が、文献検索部１１０の取得したＭＥＤＬＩＮＥ結果情報に含まれるヒット文献情報からＭｅＳＨタームを抽出するＭｅＳＨターム抽出処理を行う。  そして、検索結果生成部１２０の付加情報生成部１２２が、ＭｅＳＨターム抽出部１２１の抽出した各ＭｅＳＨタームについて付加情報を生成する付加情報生成処理を行う。【００９２】  図１５は、実施の形態１におけるＭｅＳＨターム抽出部１２１のＭｅＳＨターム抽出処理の流れを示すフローチャートである。  検索結果生成部１２０の検索結果生成処理（Ｓ１０３）におけるＭｅＳＨターム抽出部１２１のＭｅＳＨターム抽出処理について、図１５に基づいて以下に説明する。【００９３】  まず、ＭｅＳＨターム抽出部１２１は、検索結果記憶部１９３からヒット文献情報を取得する（Ｓ２０１）。  次に、ＭｅＳＨターム抽出部１２１は、取得した各々のヒット文献情報についてＳ２０３〜Ｓ２０５の処理を行うため、取得した全ヒット文献情報を処理済みか判定する（Ｓ２０２）。  未処理のヒット文献情報がある場合、ＭｅＳＨターム抽出部１２１は、処理対象のヒット文献情報（未処理のヒット文献情報のいずれか）からＭｅＳＨタームを抽出タームとして抽出する（Ｓ２０３）。  次に、ＭｅＳＨターム抽出部１２１は、抽出した各々の抽出タームについてＳ２０５の処理を行うため、抽出した全抽出タームを処理済みか判定する（Ｓ２０４）。【００９４】  未処理の抽出タームがある場合、ＭｅＳＨターム抽出部１２１は、処理対象の抽出ターム（未処理の抽出タームのいずれか）に対応する代表タームを追加して抽出タームリスト（抽出タームに対応する代表タームの一覧情報）を生成する。また、抽出タームに対応する代表タームの出現回数を抽出タームリストに設定する。この抽出タームリストに設定する出現回数は、ヒット文献のうちで当該ＭｅＳＨタームが関連する文献の数（以下、ヒット文献中ターム毎文献数とする）を示す。そこで、ＭｅＳＨターム抽出部１２１は、処理対象の抽出タームを出力してタームＤＢ１９２にアクセスする。図４に示すようにＭｅＳＨターム情報を記憶するタームＤＢ１９２は、ＭｅＳＨターム抽出部１２１の出力した抽出タームを検索キーとして、代表タームまたは同義タームが検索キーと一致するＭｅＳＨターム情報（エントリ）を検索し、代表タームまたは同義タームが検索キーと一致するＭｅＳＨターム情報を検索結果として出力する。ＭｅＳＨターム抽出部１２１は、タームＤＢ１９２の出力したＭｅＳＨターム情報の示す代表ターム（以下、処理対象の代表タームとする）と生成済みの抽出タームリスト中の代表タームとを比較し、処理対象の代表タームと同じ代表タームが抽出タームリストに既に存在するか判定する。処理対象と同じ代表タームが抽出タームリストに存在しない場合、ＭｅＳＨターム抽出部１２１は、処理対象の代表タームを抽出タームリストに追加すると共に、追加した処理対象の代表タームに対応付けてヒット文献中ターム毎文献数「１」を設定する。また、処理対象と同じ代表タームが存在する場合、ＭｅＳＨターム抽出部１２１は、処理対象の代表タームを抽出タームリストに追加せず、処理対象と同じ代表タームに対応付けて記憶されたヒット文献中ターム毎文献数を１インクリメントする。また、タームＤＢ１９２が複数のＭｅＳＨターム情報を出力した場合、上記説明の処理により、各ＭｅＳＨターム情報の示す代表タームについて、ＭｅＳＨターム抽出部１２１は代表タームとヒット文献中ターム毎文献数とを抽出タームリストに設定する。そして、Ｓ２０４を再び処理する（Ｓ２０５）。  Ｓ２０４において、未処理の抽出タームが無い（抽出した全抽出タームが処理済みである）場合、ＭｅＳＨターム抽出部１２１はＳ２０２を再び処理する。  また、Ｓ２０２において、未処理のヒット文献情報が無い（取得した全ヒット文献情報が処理済みである）場合、ＭｅＳＨターム抽出部１２１はＭｅＳＨターム抽出処理を終了する。【００９５】  図１６は、実施の形態１における付加情報生成部１２２の付加情報生成処理の流れを示すフローチャートである。  検索結果生成部１２０の検索結果生成処理（Ｓ１０３）における付加情報生成部１２２の付加情報生成処理について、図１６に基づいて以下に説明する。【００９６】  付加情報生成部１２２は、ＭｅＳＨターム抽出部１２１の生成した抽出タームリストに設定された全代表タームについてＳ３０２〜Ｓ３０３の処理を行うため、抽出タームリストに設定された全代表タームを処理済みか判定する（Ｓ３０１）。  未処理の代表タームがある場合、付加情報生成部１２２は、処理対象の代表ターム（未処理の代表タームのいずれか）を出力してタームＤＢ１９２にアクセスする。図４に示すようにＭｅＳＨターム情報を記憶するタームＤＢ１９２は、付加情報生成部１２２の出力した代表タームを検索キーとして、代表タームが検索キーと一致するＭｅＳＨターム情報（エントリ）を検索し、代表タームが検索キーと一致するＭｅＳＨターム情報を検索結果として出力する。そして、付加情報生成部１２２は、タームＤＢ１９２の出力したＭｅＳＨターム情報の示すタームの説明を、処理対象の代表タームに対応付けて抽出タームリストに設定する（Ｓ３０２）。  次に、付加情報生成部１２２の分類取得部１２３は、タームＤＢ１９２の出力したＭｅＳＨターム情報の示す分類（付加情報の一例）を、処理対象の代表タームに対応付けて抽出タームリストに設定する分類取得処理を行う（Ｓ３０３）。  そして、Ｓ３０１において、未処理の代表タームが無い場合、付加情報生成部１２２は、付加情報の設定された抽出タームリストを検索結果情報として検索結果記憶部１９３に記憶する（Ｓ３０４）。【００９７】  次に、検索結果表示部１０５の検索結果表示処理（Ｓ１０４）について説明する。  検索結果表示部１０５は、検索結果記憶部１９３から抽出タームリスト（検索結果情報）を取得し、例えば図１７に示すような、検索結果画面の結果（４）を表示する。【００９８】  図１７は、実施の形態１における検索結果画面の結果（４）を示す図である。  検索結果画面のサブメニュー（３）で抽出タームの分類表示（ＧＤＣＴ）をユーザに指定された場合の検索結果画面の結果（４）について、図１７に基づいて以下に説明する。【００９９】  図１７において、［１］はチェックボックス、［３］はヒット文献中ターム毎文献数（Ｆｒｅｑｕｅｎｃｙ）、［４］は代表ターム（Ｈｅａｄｉｎｇ）、［５］は説明（Ｄｅｓｃｒｉｐｔｉｏｎ）、［８］はＧＤＣＴ別共起タームアイコン（Ｎｅｉｇｈｂｏｒｓ）、［６］はＯＭＩＭアイコン、［７］はＰｕｂＭｅｄアイコンである。【０１００】  検索結果表示部１０５は、分類取得部１２３が抽出し抽出リストに設定した各抽出タームの分類に従い、抽出タームについて上記の項目（［１］〜［８］）を分類別に表示する。図１７は、遺伝子（Ｇｅｎｅ）に分類する抽出タームの表示を示している。【０１０１】  チェックボックス［１］は、絞り込み検索の検索条件としてクエリーに追加するＭｅＳＨタームを選択するチェックボックスである。  クエリー生成部１１５は、ユーザがマウス９０３（入力機器の一例）を使用してチェックボックスにチェックした代表ターム［４］をＡＮＤ（論理積）条件またはＯＲ（論理和）条件またはＮＯＴ（否定）条件で追加したクエリーを生成する。【０１０２】  ヒット文献中ターム毎文献数（Ｆｒｅｑｕｅｎｃｙ）［３］はヒット文献中ターム毎文献数を示し、代表ターム（Ｈｅａｄｉｎｇ）［４］は代表タームを示し、説明（Ｄｅｓｃｒｉｐｔｉｏｎ）［５］は代表ターム［４］の説明を示す。【０１０３】  ＯＭＩＭアイコン［６］は当該ＭｅＳＨターム（代表ターム［４］）を検索条件とするＯＭＩＭの検索結果ページの表示を指定するアイコンで、ＰｕｂＭｅｄアイコン［７］は当該ＭｅＳＨターム（代表ターム［４］）を検索条件とするＰｕｂＭｅｄの検索結果ページの表示を指定するアイコンである。  クエリー生成部１１５は、ユーザがマウス９０３（入力機器の一例）を使用してＯＭＩＭアイコン［６］またはＰｕｂＭｅｄアイコン［７］を押下した際、ＭＥＤＬＩＮＥへのアクセスに使用した今回のクエリーに当該ＭｅＳＨタームをＡＮＤ条件で追加したクエリーを生成する。次に、ＭＥＤＬＩＮＥアクセス部１１６は、押下されたアイコンに対応する検索ページ（ＯＭＩＭまたはＰｕｂＭｅｄ）にアクセスするＵＲＬ（クエリーを含む）を生成しインターネットを介してアクセスし、クエリー生成部１１５の生成したクエリーに対応する検索結果ページの情報をインターネットを介して取得する。そして、検索結果表示部１０５は、ＭＥＤＬＩＮＥアクセス部１１６の取得した情報に基づいて、インターネット上でＯＭＩＭまたはＰｕｂＭｅｄが提供する検索結果ページを表示する。【０１０４】  検索結果画面の結果（４）において、ユーザがマウス９０３（入力機器の一例）を使用してヒット文献中ターム毎文献数［３］（Ｆｒｅｑｕｅｎｃｙ）や代表ターム［４］（Ｈｅａｄｉｎｇ）の項目名を押下した場合、表示変更部１０３は、押下された項目（ヒット文献中ターム毎文献数、代表ターム）の情報（表示指定情報）に応じて検索結果情報をソートし、検索結果表示部１０５は、ソートされた検索結果情報（表示変更情報）に基づいて検索結果の表示を変更する。【０１０５】  ＧＤＣＴ別共起タームアイコン（Ｎｅｉｇｈｂｏｒｓ）［８］は代表ターム［４］と共起する共起タームを指定するアイコンであり、その分類（Ｇ，Ｄ，ＣまたはＴ）を指定するアイコンである。  共起情報取得部１２７は、図１８に示す処理により、ユーザがマウス９０３（入力機器の一例）を使用して押下したアイコンに対応する代表ターム［４］とその分類とに応じてタームＤＢから共起情報を取得し、検索結果表示部１０５は共起情報取得部１２７の取得した共起情報に基づいて、例えば図１９に示すような、検索結果画面の結果（４）を表示する。【０１０６】  図１８は、実施の形態１における共起情報取得部１２７の共起情報取得処理の流れを示すフローチャートである。  検索結果画面の結果（４）で共起タームの出力をユーザに指定された場合の共起情報取得部１２７の共起情報取得処理について、図１８に基づいて以下に説明する。【０１０７】  まず、共起情報取得部１２７は、ユーザに押下されたアイコンに対応する代表ターム［４］を出力してタームＤＢ１９２にアクセスする。図１０に示すように共起情報を記憶するタームＤＢ１９２は、共起情報取得部１２７の出力した代表タームを検索キーとして、Ｈｅａｄｉｎｇ１が検索キーと一致する共起情報（エントリ）を検索し、Ｈｅａｄｉｎｇ１が検索キーと一致する共起情報を検索結果として出力する。そして、共起情報取得部１２７はユーザに押下されたアイコンに対応する代表ターム［４］の共起情報を取得する（Ｓ４０１）。  次に、共起情報取得部１２７は、取得した共起情報から、ユーザに押下されたアイコンに対応する分類を持つ共起ターム（共起情報のＨｅａｄｉｎｇ２が示すＭｅＳＨターム）の共起情報を抽出（Ｓ４０３〜Ｓ４０５）するため、取得した共起情報の全共起タームを処理済みか判定する��Ｓ４０２）。  未処理の共起タームがある場合、共起情報取得部１２７は、処理対象の共起ターム（未処理の共起タームのいずれか）を出力してタームＤＢ１９２にアクセスする。図４に示すようにＭｅＳＨターム情報を記憶するタームＤＢ１９２は、共起情報取得部１２７の出力した共起タームを検索キーとして、代表タームが検索キーと一致するＭｅＳＨターム情報（エントリ）を検索し、代表タームが検索キーと一致するＭｅＳＨターム情報を検索結果として出力する。そして、共起情報取得部１２７は、タームＤＢ１９２の出力したＭｅＳＨターム情報から共起タームの分類を取得する（Ｓ４０３）。  次に、共起情報取得部１２７は、取得した分類がユーザに押下されたアイコンに対応する分類（ユーザに指定された分類）か判定する（Ｓ４０４）。  取得した分類が指定された分類である場合、共起情報取得部１２７は、処理対象の共起タームを追加して共起タームリスト（共起タームの一覧情報）を生成する。また、共起タームの説明をＭｅＳＨターム情報から取得し共起タームリストに設定する。そして、Ｓ４０２を再び処理する（Ｓ４０５）。  Ｓ４０４において、取得した分類が指定された分類でない場合、共起情報取得部１２７は、処理対象の共起タームを共起タームリストに追加せず、Ｓ４０２を再び処理する。  また、Ｓ４０２において、未処理の共起タームが無い（取得した共起情報の全共起タームが処理済みである）場合、共起情報取得部１２７は共起情報取得処理を終了し、生成した共起タームリスト（共起情報）を検索結果表示部１０５に出力する。【０１０８】  図１９は、実施の形態１における検索結果画面の結果（４）を示す図である。  検索結果画面の結果（４）で共起タームの出力をユーザに指定された場合の検索結果画面の結果（４）について、図１９に基づいて以下に説明する。検索結果表示部１０５は、共起情報取得部１２７の出力した共起タームリスト（共起情報）に基づいて、図１９に示すような検索結果画面の結果（４）をＣＲＴ表示装置９０１（表示装置の一例）に表示する。【０１０９】  図１９において、［１］はチェックボックス、［２］は共起スコア（Ｓｃｏｒｅ）、[３]は共起頻度(Ｆｒｅｑｕｅｎｃｙ)、［４］は共起ターム（Ｈｅａｄｉｎｇ）、［５］は説明（Ｄｅｓｃｒｉｐｔｉｏｎ）、［８］はＧＤＣＴ別共起タームアイコン（Ｎｅｉｇｈｂｏｒｓ）、［７］はＰｕｂＭｅｄアイコンである。【０１１０】  チェックボックス［１］は、絞り込み検索の検索条件としてクエリーに追加するＭｅＳＨタームを選択するチェックボックスである。  クエリー生成部１１５は、ユーザがマウス９０３（入力機器の一例）を使用してチェックボックスにチェックした共起ターム［４］をＡＮＤ（論理積）条件またはＯＲ（論理和）条件またはＮＯＴ（否定）条件で追加したクエリーを生成する。【０１１１】  共起スコア（Ｓｃｏｒｅ）［２］は共起スコアを示し、共起頻度(Ｆｒｅｑｕｅｎｃｙ)[３]は共起頻度を示し、共起ターム（Ｈｅａｄｉｎｇ）［４］はユーザに指定された代表タームと共起する共起タームの代表タームを示し、説明（Ｄｅｓｃｒｉｐｔｉｏｎ）［５］は共起ターム［４］の説明を示す。【０１１２】  ＰｕｂＭｅｄアイコン［７］は、図１７と同様に、当該ＭｅＳＨターム（共起ターム［４］）を検索条件とするＰｕｂＭｅｄの検索結果ページの表示を指定するアイコンである。【０１１３】  検索結果画面の結果（４）において、ユーザがマウス９０３（入力機器の一例）を使用して共起スコア［２］（Ｓｃｏｒｅ）や共起頻度[３]（Ｆｒｅｑｕｅｎｃｙ）や共起ターム［４］（Ｈｅａｄｉｎｇ）の項目名を押下した場合、表示変更部１０３は、押下された項目（共起スコア、共起ターム）の情報（表示指定情報）に応じて共起情報をソートし、検索結果表示部１０５は、ソートされた共起情報（表示変更情報）に基づいて検索結果の表示を変更する。【０１１４】  上記実施の形態１において、抽出ターム（抽出タームに対応する代表タームも意味するものとする）とその共起タームと共起スコアを、文献情報を絞り込むための情報として出力できることについて説明した。【０１１５】  また、共起スコアと共に共起タームを表示し、検索結果画面の結果（４）のチェックボックス［１］を指定することにより、当該共起タームを検索条件に追加することができることについて説明した。つまり、文献情報を絞り込むために検索条件を容易に追加することができることについて説明した。【０１１６】  また、上記分類指標番号（特定のＭｅＳＨ番号）に従い、ＭｅＳＨターム（抽出ターム、共起ターム）を分類することを特徴とすることを説明した。【０１１７】  また、ＭＥＤＬＩＮＥ２００の全文献情報における当該２つのＭｅＳＨタームの出現頻度が低く、かつ当該２つのＭｅＳＨタームの共起頻度が高いほど共起スコアを高くすることを特徴とすることを説明した。【０１１８】  また、上記実施の形態１において、文献情報はＭＥＤＬＩＮＥ２００の収録する文献情報でなくても構わず、また、文献情報は医学関連文献の情報でなくても構わない。【０１１９】  また、上記実施の形態１において、文献用語はＭｅＳＨタームでなくても構わず、また、文献用語は医学関連用語の情報でなくても構わない。【０１２０】  また、上記実施の形態１において、抽出タームリストへの「タームの説明」の設定（Ｓ３０２）、「分類」の設定（Ｓ３０３）を抽出タームリストの生成時（Ｓ２０５）に行ってもよい。これにより、タームＤＢ１９２へのアクセスが減り、処理時間が短くなる。【０１２１】  上記説明のように、上記実施の形態１により、有用な文献情報を取得するための絞り込み文献検索を支援することができることを説明した。【０１２２】  実施の形態２．  特に関連性の高い共起タームを出力する形態について以下に説明する。ここで、前記実施の形態１と異なる部分について説明し、その他の部分については前記実施の形態１と同様であるものとする。【０１２３】  以下の条件を満たさない場合、タームＤＢ１９２の共起情報の共起スコア（ＭＩ）には「０」を設定する。そして、共起情報取得部１２７は、前記実施の形態１の共起情報取得処理のＳ４０１において、共起スコアが「０」以外の共起情報のみ取得するか、又は、前記実施の形態１の共起情報取得処理のＳ４０５において、共起スコアが「０」以外の共起タームのみ共起タームリストに設定する。【０１２４】＜条件１＞  高頻度語である共起タームの共起スコアを「０」にする。  例えば、タームＤＢ１９２の共起情報テーブルにおいて、Ｈｅａｄｉｎｇ１の示すＭｅＳＨタームの全文献中ターム毎文献数が所定の第１の閾値以上であるか、Ｈｅａｄｉｎｇ２の示すＭｅＳＨタームの全文献中ターム毎文献数が所定の第２の閾値以上であるかの少なくともいずれかの場合に、当該２つのＭｅＳＨタームの共起スコアを「０」とする。  例えば、第１の閾値と第２の閾値を共に１０００００とし、以下の条件を満たさない場合の共起スコアを「０」とする。以下の条件において、Ｎ（ｘ）はＨｅａｄｉｎｇ１の示すＭｅＳＨタームの全文献中ターム毎文献数であり、Ｎ（ｙ）はＨｅａｄｉｎｇ２の示すＭｅＳＨタームの全文献中ターム毎文献数である。  Ｎ（ｘ）＜  １０００００  ＯＲ  Ｎ（ｙ）＜  １０００００【０１２５】＜条件２＞  低共起頻度である共起タームの共起スコアを「０」にする。  例えば、共起スコアが第３の閾値以下である共起スコアを「０」にする。  例えば、共起スコアの対数値に対する第３の閾値を０とし、以下の条件を満たさない場合の共起スコアを「０」とする。以下の条件において、ＭＩは共起スコアである。  ｌｏｇ２（ＭＩ）＞  ０  また例えば、共起スコアの対数値に対する第３の閾値を５とし、以下の条件を満たさない場合の共起スコアを「０」とする。以下の条件において、ＭＩは共起スコアである。  ｌｏｇ２（ＭＩ）＞＝  ５【０１２６】＜条件３＞  ｔスコアが低い共起タームの共起スコアを「０」にする。  ここで、ＭｅＳＨタームｘとＭｅＳＨタームｙとのｔスコアｔ（ｘ，ｙ）は以下の式により算出する。【０１２７】
【数７】
2007060727.tif 000009
【０１２８】  ここで、ｔスコアが低い共起タームの共起スコアを「０」にするため、低共起頻度である共起タームの共起スコアを「０」にする。  例えば、タームＤＢ１９２の共起情報テーブルにおいて、Ｈｅａｄｉｎｇ１の示すＭｅＳＨタームとＨｅａｄｉｎｇ２の示すＭｅＳＨタームとの全文献中ターム毎共起文献数が第４の閾値以下である共起スコアを「０」にする。  例えば、第４の閾値を１とし、以下の条件を満たさない場合の共起スコアを「０」とする。以下の条件を満たさない場合の共起スコアを「０」とする。以下の条件において、Ｎ（ｘ，ｙ）はＨｅａｄｉｎｇ１の示すＭｅＳＨタームとＨｅａｄｉｎｇ２の示すＭｅＳＨタームとの全文献中ターム毎共起文献数である。  Ｎ（ｘ，ｙ）＞  １【０１２９】  条件１により共起スコアを「０」に設定することで、共起情報取得部１２７は、ＭｅＳＨターム抽出部１２１の抽出した当該ＭｅＳＨタームの全文献中ターム毎文献数が所定の第１の閾値以上であるか、前記ＭｅＳＨターム抽出部の抽出した当該ＭｅＳＨタームと共起するＭｅＳＨターム（共起ターム）のターム毎文献数が所定の第２の閾値以上であるかの少なくともいずれかの場合の、当該共起するＭｅＳＨタームと、当該共起するＭｅＳＨタームとの相互情報量のスコア（共起スコア）とを取得しない。【０１３０】  また、条件２により共起スコアを「０」に設定することで、共起情報取得部１２７は、当該共起スコアが所定の第３の閾値以下である場合の、当該共起するＭｅＳＨターム（共起ターム）と、当該共起するＭｅＳＨタームとの相互情報量のスコア（共起スコア）とを取得しない。【０１３１】  また、条件３により共起スコアを「０」に設定することで、共起情報取得部１２７は、ＭｅＳＨターム抽出部１２１の抽出した当該ＭｅＳＨタームとの全文献中ターム毎共起文献数が所定の第４の閾値以下である場合の、当該共起するＭｅＳＨターム（共起ターム）と当該共起するＭｅＳＨタームとの相互情報量のスコア（共起スコア）とを取得しない。【０１３２】  上記条件１〜条件３を組み合わせた条件により共起スコアを「０」に設定してもよい。【０１３３】  上記条件１〜条件３（およびこれらを組み合わせた条件）に従い、共起情報取得部１２７が共起タームとその共起スコアとを取得しないことにより、より関連性の高い共起タームのみを出力することができる。【０１３４】  また、上記条件１〜条件３（およびこれらを組み合わせた条件）に従い、共起情報取得部１２７が共起タームとその共起スコアとを取得しないことにより、処理（例えば、前記実施の形態１の共起情報取得処理におけるＳ４０２〜Ｓ４０５）する共起タームを削減することができ、処理時間を短縮することができる。【０１３５】  実施の形態３．  文献情報を絞り込むための情報として、共起タームのＭｅＳＨ番号を出力する形態について以下に説明する。ここで、前記実施の形態１と異なる部分について説明し、その他の部分については前記実施の形態１と同様であるものとする。【０１３６】  共起タームのＭｅＳＨ番号を出力するために、前記実施の形態１で説明した共起情報取得処理でのＳ４０５において、共起情報取得部１２７は、タームＤＢ１９２の出力したＭｅＳＨターム情報の示すＭ��ＳＨ番号を処理対象の共起タームとして共起タームリストに設定する。  実施の形態３における文献検索装置１００の他の処理および構成は前記実施の形態１と同様である。【０１３７】  実施の形態４．  ＭＥＤＬＩＮＥ２００の収録する文献情報の更新時の形態について以下に説明する。ここで、前記の各実施の形態と異なる部分について説明し、その他の部分については前記の各実施の形態と同様であるものとする。【０１３８】  図２０は、実施の形態４における文献検索装置１００での共起スコア更新処理の流れを示すフローチャートである。  ＭＥＤＬＩＮＥ２００の収録する文献情報の更新時の文献検索装置１００での共起スコア更新処理について、図２０に基づいて以下に説明する。【０１３９】  文献検索装置１００は、ＭＥＤＬＩＮＥ２００の更新情報を取得し（Ｓ５０１）、取得した更新情報に基づいてタームＤＢ１９２のＭｅＳＨターム情報の全文献中ターム毎文献数を更新し（Ｓ５０２）、取得した更新情報に基づいてタームＤＢ１９２の共起情報の全文献中ターム毎共起文献数を更新し（Ｓ５０３）、更新した全文献中ターム毎文献数、全文献中ターム毎共起文献数に基づいて共起スコアを更新する（Ｓ５０４）。【０１４０】  次に、ＭＥＤＬＩＮＥ更新情報取得部１０２の共起スコア更新処理（Ｓ５０１〜Ｓ５０４）の詳細について以下に説明する。【０１４１】  まず、Ｓ５０１において、ＭＥＤＬＩＮＥ更新情報取得部１０２は、ＮＬＭのＦＴＰサイトに定期的にアクセスしてＭＥＤＬＩＮＥ２００の更新情報を取得する。【０１４２】  次に、Ｓ５０２において、ＭＥＤＬＩＮＥ更新情報取得部１０２は、取得した更新情報に基づいてタームＤＢ１９２の各ＭｅＳＨターム情報（エントリ）の全文献中ターム毎文献数を更新する。このとき、ＭｅＳＨターム抽出部１２１は、更新情報の示す文献情報をヒット文献として扱い、上記実施の形態１と同様にして抽出タームリストを生成する。そして、ＭＥＤＬＩＮＥ更新情報取得部１０２は抽出タームリストに設定された代表タームとヒット文献中ターム毎文献数とをタームＤＢ１９２に出力し、タームＤＢ１９２はＭＥＤＬＩＮＥ更新情報取得部１０２の出力した代表タームと同じ代表タームと対応付けて記憶されている全文献中ターム毎文献数にＭＥＤＬＩＮＥ更新情報取得部１０２の出力したヒット文献中ターム毎文献数を加算する。これにより、ＭＥＤＬＩＮＥ更新情報取得部１０２は、更新情報に基づいてタームＤＢ１９２の各ＭｅＳＨターム情報（エントリ）の全文献中ターム毎文献数を更新する。【０１４３】  次に、Ｓ５０３において、ＭＥＤＬＩＮＥ更新情報取得部１０２は、図２１に示す処理により、取得した更新情報に基づいてタームＤＢ１９２の各共起情報（エントリ）の全文献中ターム毎共起文献数を更新する。【０１４４】  図２１は、実施の形態４におけるＭＥＤＬＩＮＥ更新情報取得部１０２の全文献中ターム毎共起文献数更新処理の流れを示すフローチャートである。  文献検索装置１００での共起スコア更新処理（Ｓ５０３）におけるＭＥＤＬＩＮＥ更新情報取得部１０２の全文献中ターム毎共起文献数更新処理について、図２１に基づいて以下に説明する。【０１４５】  まず、ＭＥＤＬＩＮＥ更新情報取得部１０２は、取得した更新情報の示す文献情報（以下、更新文献情報とする）についてＳ６０２〜Ｓ６０６の処理を行うため、全更新文献情報を処理済みか判定する（Ｓ６０１）。【０１４６】  未処理の更新文献情報がある場合、ＭＥＤＬＩＮＥ更新情報取得部１０２は、処理対象の更新文献情報（未処理の更新文献情報のいずれか）からＭｅＳＨタームを第１の抽出タームとして抽出する。そして、ＭＥＤＬＩＮＥ更新情報取得部１０２は、第１の抽出タームを出力してタームＤＢ１９２にアクセスし、タームＤＢ１９２から第１の抽出タームを代表タームまたは同義タームとするＭｅＳＨターム情報（エントリ）の代表タームを取得する（Ｓ６０２）。  次に、ＭＥＤＬＩＮＥ更新情報取得部１０２は、処理対象の更新文献情報から第１の抽出ターム以外のＭｅＳＨタームを第２の抽出タームとして抽出する。そして、ＭＥＤＬＩＮＥ更新情報取得部１０２は、第２の抽出タームを出力してタームＤＢ１９２にアクセスし、タームＤＢ１９２から第２の抽出タームを代表タームまたは同義タームとするＭｅＳＨターム情報（エントリ）の代表タームを取得する（Ｓ６０３）。  次に、ＭＥＤＬＩＮＥ更新情報取得部１０２は、第１の抽出タームの代表タームと第２の抽出タームの代表タームとを出力してタームＤＢ１９２にアクセスする。タームＤＢ１９２は、第１の抽出タームの代表タームと第２の抽出タームの代表タームとを検索キーとして、Ｈｅａｄｉｎｇ１が第１の抽出タームの代表タームと一致し、且つ、Ｈｅａｄｉｎｇ２が第２の抽出タームの代表タームと一致する共起情報（エントリ）検索する。そして、タームＤＢ１９２は一致した共起情報の全文献中ターム毎共起文献数を１インクリメントする（Ｓ６０４）。【０１４７】  次に、ＭＥＤＬＩＮＥ更新情報取得部１０２は第２の抽出タームとして未処理のＭｅＳＨタームが有るか判定する（Ｓ６０５）。  第２の抽出タームとして未処理のＭｅＳＨタームが有る場合、第２の抽出タームとして未処理のＭｅＳＨタームについて、ＭＥＤＬＩＮＥ更新情報取得部１０２はＳ６０３を再び処理する。  第２の抽出タームとして未処理のＭｅＳＨタームが無い場合、第１の抽出タームとして未処理のＭｅＳＨタームが有るか判定する（Ｓ６０６）。  第１の抽出タームとして未処理のＭｅＳＨタームが有る場合、第１の抽出タームとして未処理のＭｅＳＨタームについて、ＭＥＤＬＩＮＥ更新情報取得部１０２はＳ６０２を再び処理する。  第１の抽出タームとして未処理のＭｅＳＨタームが無い場合、ＭＥＤＬＩＮＥ更新情報取得部１０２はＳ６０１を再び処理する。  また、Ｓ６０１において、未処理の更新文献情報が無い（取得した全更新文献情報が処理済みである）場合、ＭＥＤＬＩＮＥ更新情報取得部１０２は全文献中ターム毎共起文献数更新処理を終了する。【０１４８】  そして、ＭＥＤＬＩＮＥ更新情報取得部１０２は、更新した全文献中ターム毎文献数と全文献中ターム毎共起文献数とに基づいて、前記実施の形態１で示した共起スコアの算出式および前記実施の形態２で示した共起スコアの条件式で共起スコアを算出し、算出した共起スコアでタームＤＢ１９２の共起情報の共起スコアを更新する（Ｓ５０４）。【０１４９】  上記実施の形態４におい��、ＭＥＤＬＩＮＥ２００の文献情報の更新に対応できることを説明した。つまり、ＭＥＤＬＩＮＥ２００に新たな文献情報が追加されても、前記実施の形態１で説明した共起スコアを算出できる。
【図面の簡単な説明】
【０１５０】
【図１】実施の形態１における文献検索装置１００の構成図。
【図２】実施の形態１における文献検索部１１０の構成図。
【図３】実施の形態１における検索結果生成部１２０の構成図。
【図４】実施の形態１におけるタームＤＢ１９２の記憶管理するＭｅＳＨターム情報のテーブルを示す図。
【図５】ＭｅＳＨ  Ｄｅｓｃｒｉｔｏｒのツリー図。
【図６】ＭｅＳＨ  Ｄｅｓｃｒｉｔｏｒのツリー図。
【図７】ＭｅＳＨ  Ｄｅｓｃｒｉｔｏｒのツリー図。
【図８】ＭｅＳＨ  Ｄｅｓｃｒｉｔｏｒのツリー図。
【図９】ＭｅＳＨ  Ｄｅｓｃｒｉｔｏｒのツリー図。
【図１０】実施の形態１におけるタームＤＢ１９２の記憶管理する共起情報のテーブルを示す図。
【図１１】実施の形態１における検索結果表示部１０５が検索結果を表示した画面（検索結果画面）を示す図。
【図１２】実施の形態１における文献検索装置１００の外観を示す図。
【図１３】実施の形態１における文献検索装置１００のハードウェア構成図。
【図１４】実施の形態１における文献検索装置１００の文献検索処理の流れを示すフローチャート。
【図１５】実施の形態１におけるＭｅＳＨターム抽出部１２１のＭｅＳＨターム抽出処理の流れを示すフローチャート。
【図１６】実施の形態１における付加情報生成部１２２の付加情報生成処理の流れを示すフローチャート。
【図１７】実施の形態１における検索結果画面の結果（４）を示す図。
【図１８】実施の形態１における共起情報取得部１２７の共起情報取得処理の流れを示すフローチャート。
【図１９】実施の形態１における検索結果画面の結果（４）を示す図。
【図２０】実施の形態４における文献検索装置１００での共起スコア更新処理の流れを示すフローチャート。
【図２１】実施の形態４におけるＭＥＤＬＩＮＥ更新情報取得部１０２の全文献中ターム毎共起文献数更新処理の流れを示すフローチャート。
【符号の説明】
【０１５１】  １００  文献検索装置、１０２  ＭＥＤＬＩＮＥ更新情報取得部、１０３  表示変更部、１０４  ログイン部、１０５  検索結果表示部、１１０  文献検索部、１１５  クエリー生成部、１１６  ＭＥＤＬＩＮＥアクセス部、１２０  検索結果生成部、１２１  ＭｅＳＨターム抽出部、１２２  付加情報生成部、１２３  分類取得部、１２７  共起情報取得部、１９１  ユーザ情報ＤＢ、１９２  タームＤＢ、１９３  検索結果記憶部、２００  ＭＥＤＬＩＮＥ、２１０  ＯＭＩＭ、２２０  ＭｅＳＨ、９０１  ＣＲＴ表示装置、９０２  Ｋ／Ｂ、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ＦＡＸ機、９４０  インターネット、９４１  ウェブサーバ、９４２  ＬＡＮ。
【図１】
2007060727.tif 000014
【図２】
2007060727.tif 000015
【図３】
2007060727.tif 000016
【図４】
2007060727.tif 000017
【図５】
2007060727.tif 000018
【図６】
2007060727.tif 000019
【図７】
2007060727.tif 000020
【図８】
2007060727.tif 000021
【図９】
2007060727.tif 000022
【図１０】
2007060727.tif 000023
【図１１】
2007060727.tif 000024
【図１２】
2007060727.tif 000025
【図１３】
2007060727.tif 000026
【図１４】
2007060727.tif 000027
【図１５】
2007060727.tif 000028
【図１６】
2007060727.tif 000029
【図１７】
2007060727.tif 000030
【図１８】
2007060727.tif 000031
【図１９】
2007060727.tif 000032
【図２０】
2007060727.tif 000033
【図２１】
2007060727.tif 000034
【国際調査報告】
2007060727.tif 000035
2007060727.tif 000036